(57)【要約】  照明装置（１）は、光出射面（１１１）を有する発光パネル（１１０）の端部及び発光パネルの周囲の少なくとも１つの位置に設けられ、明部領域（１３１）及び暗部領域（１３２）を有するフレーム形成部（１２０）と、フレーム形成部に入射される光を発する光源（１４０）と、光源からフレーム形成部に入射される光のうち、暗部領域から光出射面と面する空間（１１２）に向かう光の強度を明部領域から空間に向かう光の強度よりも弱める、又は光源からフレーム形成部に入射される光のうち、明部領域から空間に向かう光の強度を暗部領域から空間に向かう光の強度よりも強める光量調整部（２２）とを備える。
2020240664.tif 000002
【特許請求の範囲】
【請求項１】
光出射面を有する発光パネルの端部及び前記発光パネルの周囲の少なくとも１つの位置に設けられ、明部領域及び暗部領域を有するフレーム形成部と、
前記フレーム形成部に入射される光を発する光源と、
前記光源から前記フレーム形成部に入射される光のうち、前記暗部領域から前記光出射面と面する空間に向かう光の強度を前記明部領域から前記空間に向かう光の強度よりも弱める、又は前記光源から前記フレーム形成部に入射される光のうち、前記明部領域から前記空間に向かう光の強度を前記暗部領域から前記空間に向かう光の強度よりも強める光量調整部と、を備える
ことを特徴とする照明装置。
【請求項２】
前記光量調整部よりも前記空間に近い位置に設けられる第１の光透過拡散部材を含む
請求項１に記載の照明装置。
【請求項３】
前記フレーム形成部は、前記明部領域及び前記暗部領域が設けられるフレーム状部材を含む
請求項１又は２に記載の照明装置。
【請求項４】
前記フレーム状部材は、光透過性部材を有し、
前記フレーム状部材の面のうち前記空間を向く側を表側とし、前記表側の反対側を裏側としたとき、前記光源は、前記フレーム状部材の裏側から光を入射するように配置され、
前記光量調整部は、前記暗部領域又は前記光源から出射された光が前記フレーム状部材の背面に入射して前記フレーム状部材の前面から前記空間に向かう光として出射されるまでの光路上の前記暗部領域に対応する領域に配置され、入射される光の少なくとも一部を吸収又は反射する第１の光制限部材を含む
請求項３に記載の照明装置。
【請求項５】
前記第１の光制限部材は、前記フレーム状部材を通って前記空間に進む光の一部を遮ることによって前記暗部領域から前記空間に向かう光の量を減少させるマスクである
請求項４に記載の照明装置。
【請求項６】
前記光透過性部材は、少なくとも前記明部領域又は前記暗部領域を含む領域において、前記光出射面から離れるに従って厚みが増すように構成されており、
前記マスクは、前記光透過性部材の裏側に設けられている
請求項５に記載の照明装置。
【請求項７】
前記マスクは、面内で光透過率が異なっており、前記暗部領域と前記明部領域の境界部の光透過率が前記光出射面から離れるに従って高くなるように構成されている
請求項５又は６に記載の照明装置。
【請求項８】
前記マスクは、面内で光透過率が異なっており、前記明部領域の光透過率に比べて前記暗部領域の光透過率が低くなるように構成されている
請求項５又は６に記載の照明装置。
【請求項９】
前記光源からの光を偏向して前記フレーム状部材に導く第１の光偏向部材をさらに備え、
前記第１の光偏向部材は、前記光源からの光を反射して前記フレーム状部材に導く光反射部材又は前記光源からの光を反射及び拡散させて前記フレーム状部材に導く光反射拡散部材を含む
請求項４〜８のうちのいずれか１項に記載の照明装置。
【請求項１０】
前記第１の光偏向部材は、前記光反射部材又は前記光反射拡散部材と前記フレーム状部材との間に設けられる光透過拡散部材をさらに含む
請求項９に記載の照明装置。
【請求項１１】
前記光源からの光を導光しつつ散乱する導光部をさらに備え、
前記導光部は、前記フレーム状部材までの距離が遠い領域ほど、多くの散乱光を出射するように構成されており、
前記フレーム状部材は、前記導光部から出射される前記散乱光を入射して、前記空間に向かう光を出射する
請求項４〜１０のうちのいずれか１項に記載の照明装置。
【請求項１２】
前記フレーム状部材は、光反射部材を有し、
前記フレーム状部材の面のうち前記空間を向く側を表側とし、前記表側の反対側を裏側としたとき、前記光源は、前記フレーム状部材の表側から光を入射するように配置され、
前記第１の光制限部材は、前記暗部領域又は前記光源から出射された光が前記フレーム状部材の前面に入射して再び前記前面から前記空間に向かう光として出射されるまでの光路上の前記暗部領域に対応する領域に配置され、入射光の少なくとも一部を吸収、透過又は前記空間に向かわない角度に偏向する第２の光制限部材を含む
請求項４に記載の照明装置。
【請求項１３】
前記フレーム状部材は、前記光出射面から出射される光の進行方向を前方としたとき、前方に進むに従って外側に向かう形状である
請求項３〜１２のうちのいずれか１項に記載の照明装置。
【請求項１４】
前記フレーム状部材は、前記光出射面の光出射方向側に設けられ、開口部を有する枠体を有し、
少なくとも前記開口部の側壁に前記明部領域及び前記暗部領域が設けられている
請求項３〜１３のうちのいずれか１項に記載の照明装置。
【請求項１５】
前記フレーム状部材の少なくとも前記明部領域又は前記暗部領域が設けられる領域の前記光出射面から最も遠い端部に接続され、該端部から外側に向けて延在するフランジ部を備える
請求項３〜１４のうちのいずれか１項に記載の照明装置。
【請求項１６】
前記フレーム形成部は、前記発光パネルの端部を構成する面上に形成され、
前記光量調整部は、前記面上の領域のうち前記暗部領域とされる領域に設けられ、パネル用光源から前記発光パネルに向かう光を透過するとともに前記光源からの光を遮蔽するマスク、又は前記面上の領域のうち前記明部領域とされる領域に設けられ、前記パネル用光源から前記発光パネルに向かう光及び前記光源からの光を透過する反射防止部材を含む
請求項１又は２に記載の照明装置。
【請求項１７】
前記フレーム形成部は、前記発光パネルの端部を構成する面上に形成され、
前記光量調整部は、前記面上の領域のうち前記明部領域とされる領域に設けられ、パネル用光源から出射され前記発光パネル内を導光する光を偏向して前記光出射面から出射させる第２の光偏向部材、又は前記面上の領域のうち前記暗部領域とされる領域に設けられ、パネル用光源から出射され前記発光パネル内を導光する光を透過又は偏向して前記空間に向かわない光とする第２の光制限部材を含む
請求項１又は２に記載の照明装置。
【請求項１８】
前記光源からの光を、前記発光パネルの入射面に向かう光と前記フレーム形成部に向かう光とに分岐する光分岐部を備える
請求項１〜１７のうちのいずれか１項に記載の照明装置。
【請求項１９】
前記フレーム形成部に入射される光は、前記光源から発せられ、前記発光パネルを通って前記フレーム形成部に入射される光を含む
請求項１〜１８のうちのいずれか１項に記載の照明装置。
【請求項２０】
前記発光パネルとして、ナノオーダーの光学媒体を含み、入射された光を前記光学媒体で散乱させて発生する散乱光を前記光出射面から出射する発光パネルを備える
請求項１〜１９のうちのいずれか１項に記載の照明装置。
【発明の詳細な説明】
【技術分野】
【０００１】
本発明は、照明装置に関する。
【背景技術】
【０００２】
天井の凹部に取り付けられ、疑似的な天窓の形態を備えた照明装置の提案がある（例えば、特許文献１を参照）。この照明装置は、天井の凹部に取り付けられた照明パネルとそのまわりの側壁とを有している。側壁は、独立して制御可能な三角形発光領域を有しており、日なた部分と影部分とを模している。日なた部分と影部分とは、照明パネルが実際の天窓であったならば天窓から差し込む光によって形成されると思われる日なた領域と、光の当たらない影領域とを模している。
【先行技術文献】
【特許文献】
【０００３】
【特許文献１】特許第６０８１６６３号公報
【発明の概要】
【発明が解決しようとする課題】
【０００４】
しかしながら、特許文献１は、どのようにして照明装置が有する個々の三角形発光領域を独立して点灯させるかを開示しておらず、三角形発光領域の点灯／消灯と光源の制御との関係が明確ではない。したがって、複数の三角形発光領域の各々に対して独立した点灯／消灯の制御を行った場合、点灯／消灯の切替えが目立ってしまい、観察者に不自然さを感じさせるという問題がある。【０００５】
本発明は、上記従来の課題を解決するためになされたものであり、実際に太陽からの差し込み光がないような環境であっても、あたかも太陽からの差し込み光が発光パネルを通して照射されているかのような自然な造景を観察者に与えることができる照明装置を提供することを目的とする。
【課題を解決するための手段】
【０００６】
本発明の一態様に係る照明装置は、光出射面を有する発光パネルの端部及び前記発光パネルの周囲の少なくとも１つの位置に設けられ、明部領域及び暗部領域を有するフレーム形成部と、前記フレーム形成部に入射される光を発する光源と、前記光源から前記フレーム形成部に入射される光のうち、前記暗部領域から前記光出射面と面する空間に向かう光の強度を前記明部領域から前記空間に向かう光の強度よりも弱める、又は前記光源から前記フレーム形成部に入射される光のうち、前記明部領域から前記空間に向かう光の強度を前記暗部領域から前記空間に向かう光の強度よりも強める光量調整部と、を備えることを特徴とする。
【発明の効果】
【０００７】
本発明を用いれば、あたかも太陽からの差し込み光が発光パネルを通して照射されているかのような、より自然な造景を観察者に与えることができる。
【図面の簡単な説明】
【０００８】
【図１】本発明の実施の形態１に係る照明装置の構成例を概略的に示す分解斜視図である。
【図２】実施の形態１に係る照明装置の構成例を概略的に示す外観斜視図である。
【図３】図２の照明装置をＩＩＩ−ＩＩＩ線で切る概略断面図である。
【図４】図２の照明装置を−Ｚ方向に見たときの状態を示す概略平面図である。
【図５】実施の形態１に係る照明装置のフレーム状部材における明部領域及び暗部領域を示す斜視図である。
【図６】実施の形態１に係る照明装置の制御系の構成例を示すブロック図である。
【図７】実施の形態１に係る照明装置を下から見上げたときに観察される状態例を示す概略図である。
【図８】実施の形態１に係る照明装置の構成例を概略的に示す要部断面図である。
【図９】（Ａ）は、実施の形態１に係る照明装置のフレーム状部材の明部領域及び暗部領域の例を示す正面図、（Ｂ）は、図９（Ａ）をＩＸ−ＩＸ線で切る概略断面図である。
【図１０】実施の形態１の変形例に係る照明装置のフレーム状部材における明部領域及び暗部領域と仮想光源との関係の一例を示す図である。
【図１１】実施の形態１の変形例に係る照明装置のフレーム状部材における明部領域及び暗部領域を示す斜視図である。
【図１２】実施の形態１の変形例に係る照明装置を下から見上げたときに観察される状態例を示す概略図である。
【図１３】本発明の実施の形態２に係る照明装置の構成例を概略的に示す要部断面図である。
【図１４】本発明の実施の形態３に係る照明装置の構成例を概略的に示す要部断面図である。
【図１５】（Ａ）は、実施の形態３に係る照明装置のフレーム状部材の明部領域及び暗部領域の例を示す正面図、（Ｂ）は、図１５（Ａ）をＸＶ−ＸＶ線で切る概略断面図である。
【図１６】本発明の実施の形態４に係る照明装置の構成例を概略的に示す要部断面図である。
【図１７】実施の形態４に係る照明装置のフレーム状部材及び光源部の例を背面図である。
【図１８】実施の形態４の変形例に係る照明装置の構成例を概略的に示す要部断面図である。
【図１９】本発明の実施の形態５に係る照明装置を下から見上げたときに観察される状態例を示す概略図である。
【図２０】実施の形態５に係る照明装置の構成例を概略的に示す断面図である。
【図２１】（Ａ）は、実施の形態５に係る照明装置のフレーム状部材の構成例を概略的に示す要部斜視図、（Ｂ）は、図２１（Ａ）をＸＸＩ−ＸＸＩ線で切る概略断面図である。
【図２２】本発明の実施の形態６に係る照明装置の構成例を概略的に示す要部断面図である。
【図２３】本発明の実施の形態７に係る照明装置の構成例を概略的に示す断面図である。
【図２４】実施の形態７に係る照明装置の構成例を概略的に示す要部断面図である。
【図２５】本発明の実施の形態８に係る照明装置の光源部、光反射拡散部材、及びフレーム状部材の構成例を概略的に示す分解斜視図である。
【図２６】実施の形態８に係る照明装置の構成例を概略的に示す斜視図である。
【図２７】実施の形態８に係る照明装置のフレーム状部材の裏側から見た背面図である。
【図２８】実施の形態１の変形例に係る照明装置の構成例を示す概略断面図である。
【図２９】実施の形態１の変形例に係る照明装置の他の構成例を示す概略断面図である。
【図３０】実施の形態１の変形例に係る照明装置の他の構成例を示す概略断面図である。
【発明を実施するための形態】
【０００９】
以下に、本発明の実施の形態に係る照明装置を、図面を参照しながら説明する。以下の実施の形態は、例にすぎず、本発明の範囲内で種々の変更が可能である。
【００１０】
また、図示された構成要素の寸法及び縮尺は、図ごとに異なる。図には、ＸＹＺ直交座標系の座標軸が示されている。Ｚ方向は、発光パネルの光出射面の法線方向である。なお、発光パネルの光出射面が曲面又は傾斜面又はこれらの両方を含んでいる場合、Ｚ方向は、光出射面の中心部の法線方向又は光出射面の法線ベクトルの和が示す方向としてもよい。＋Ｚ方向は、光出射面から出射される光の進行方向側である。例えば、照明装置が水平面の天井に取り付けられた場合には、＋Ｚ方向は鉛直下方向であり、−Ｚ方向は鉛直上方向である。Ｘ方向及びＹ方向は、Ｚ方向に直交する方向である。照明装置が水平面の天井に取り付けられた場合には、Ｘ方向及びＹ方向は、水平方向である。以下、発光パネルの中心に対して＋Ｚ方向側を前方又は前面側、その反対方向である−Ｚ方向側を後方又は背面側という場合がある。また、発光パネルの光出射面内の任意の位置に対して、±Ｘ方向側及び±Ｙ方向側のように光出射面の端部又は外側に向かう側を側方又は側面側という場合がある。また、各図において、基本的に他の図面と同一又は対応する構成要素には同じ符号を付すが、異なる特徴を説明するために異なる符号を付す場合がある。
【００１１】
《１》実施の形態１．
《１−１》構成
図１は、実施の形態１に係る照明装置１の構成例を概略的に示す分解斜視図である。図２は、照明装置１の構成例を概略的に示す外観斜視図である。図３は、図２の照明装置１をＩＩＩ−ＩＩＩ線で切る概略断面図である。図４は、図２の照明装置１を−Ｚ方向に見たときの状態を示す概略平面図である。また、図５は、照明装置１のフレーム状部材１２０における明部領域１３１及び暗部領域１３２を示す斜視図である。
【００１２】
照明装置１は、光出射面１１１を有する発光パネル１１０の端部及び発光パネル１１０の周囲の少なくとも１つの位置に設けられるフレーム形成部１２と、フレーム形成部１２に向けて光を出射する光源部１４０と、光量調整部２２とを備えている。
【００１３】
フレーム形成部１２は、例えば、発光パネル１１０の端部の所定領域に設けられる。ここで、発光パネル１１０の端部は、発光パネル１１０の側面を含む領域をいう。なお、発光パネル１１０の端部には、側面だけでなく、発光パネル１１０の前面及び発光パネル１１０の背面のうち側面と接続される部分（所定領域）も含まれる。ここで、発光パネル１１０の側面は、例えば、光出射面１１１が形成される面である前面の端部と接する側方を向いた面である。また、発光パネル１１０の背面は、例えば、前面の反対側の面である。
【００１４】
また、フレーム形成部１２は、例えば、発光パネル１１０の周囲のある位置を含む所定領域に設けられる。ここで、発光パネル１１０の周囲は、発光パネル１１０の側面と面する空間、前面と面する空間及び背面と面する空間を含む概念である。
【００１５】
図１に示す例では、照明装置１が、フレーム形成部１２の一例としてフレーム状部材１２０を備え、光量調整部２２の一例としてマスク１２２を備える例を示している。フレーム状部材１２０は、例えば、発光パネル１１０の前方の所定領域に設けられてもよい。また、フレーム状部材１２０は、例えば、発光パネル１１０の側方の所定領域に設けられてもよい。また、フレーム状部材１２０は、例えば、発光パネル１１０の後方の所定領域に設けられてもよい。なお、図３の例は、フレーム状部材１２０が、発光パネル１１０の前方かつ端部と接する位置に設けられた例である。
【００１６】
フレーム状部材１２０は、光出射面１１１と面する空間１１２又は発光パネル１１０の少なくとも一方を囲うように配置されてもよい。フレーム状部材１２０は、空間１１２と発光パネル１１０の両方を囲うように配置されてもよい。例えば、フレーム状部材１２０は、発光パネル１１０の周囲において、光出射面１１１と面する空間１１２の外縁を区画するように配置されてもよい。ここで、発光パネル１１０の周囲を、例えば、５００ｍｍ以内の空間としてもよい。既に説明したように周囲の空間は＋ｚ方向に限定されない。例えば、フレーム状部材１２０は、発光パネル１１０の前方、後方及び側方の少なくともいずれかの方向において５００ｍｍ以内の位置に設けられてもよい。
【００１７】
なお、フレーム状部材１２０は、発光パネル１１０の前方、後方又は側方において発光パネル１１０と隙間なく配置されてもよい。このとき、発光パネル１１０とフレーム状部材１２０とは、例えば緩衝材等を挟んで接続されてもよい。このようにすることで、不要な光（発光パネル１１０が出射したい光Ｌ１及びフレーム状部材１２０が出射したい光Ｌ２以外の光）が空間１１２内に出射されることを防ぐことができる。
【００１８】
また、フレーム状部材１２０は、複数の部材を間隔を開けて配列した構造を有してもよい。つまり、フレーム状部材１２０は、２つ以上に分割された構造を有してもよい。例えば、フレーム状部材１２０は、発光パネル１１０の光出射面１１１の外周をなす４つの辺ごとに分割された構造を有してもよい。その場合において、フレーム状部材１２０は、光出射面１１１の角部を開放させた形状でもよい。また、フレーム状部材１２０は、角部以外の辺の一部を開放させた形状でもよい。その場合において、フレーム状部材１２０は、Ｘ方向及びＹ方向に間隔を開けて配列した構造を有してもよい。また、フレーム状部材１２０は、例えば、ブラインド構造のような、Ｚ方向に間隔を開けて配列した構造を有してもよい。このように、フレーム状部材１２０は、形状に種々のデザイン性を持たせることができる。
【００１９】
発光パネルは、照明パネルともいう。発光パネル１１０は、空間１１２に向けて照明光Ｌ１を出射する。発光パネル１１０は、例えば、平面状の光出射面１１１を有する。光出射面１１１は、平面状の面に限定されない。光出射面１１１は、例えば、湾曲していてもよい。また、発光パネル１１０の形状は、図示された形状に限定されない。発光パネル１１０は、図示した平板形状（１つ又は複数の側面でつながれた２つの表面を有する形状）以外に、例えば、球体形状、多面体形状、柱体形状（２つの底面が１つ又は複数の側面でつながれた形状）、洋樽形状、糸巻き形状など種々の形状をとり得る。光出射面１１１は、例えば、発光パネル１１０が有する面上に形成される。なお、光出射面１１１は、発光パネル１１０が有する面の一部の領域に形成されてもよい。光出射面１１１の形成位置及び形状等は特に限定されない。
【００２０】
光源部１４０は、例えば、白色光を発する光源である。光源部１４０は、例えば、フレーム状部材１２０の裏側（より具体的には、背面）に向けて光を出射する。その場合、フレーム状部材１２０として、透過型のフレーム状部材が備えられる。ここで、フレーム状部材１２０の裏側とは、設置された際に観察者に視認される側を表側とした場合に、その反対側である。また、フレーム状部材１２０の背面とは、設置された際に観察者に視認される面を表側の面（以下、前面という）とした場合に、その反対側の面である。なお、「設置された際に観察者に視認される側」は、より具体的に、空間１１２又は発光パネル１１０の光出射方向（＋Ｚ方向）を向く側である。したがって、フレーム状部材１２０の前面は、空間１１２又は発光パネル１１０の光出射方向（＋Ｚ方向）を向く面であってもよい。例えば、フレーム状部材１２０の前面には、太陽光を模擬する光Ｌ２を出射する光出射面（発光面ともいう）が含まれる。
【００２１】
照明装置１が透過型のフレーム状部材１２０を備える場合、光源部１４０は、フレーム状部材１２０の裏側に配置されてもよい。光源部１４０は、例えば、図１〜４に示すように、フレーム状部材１２０の形状に沿って、フレーム状部材１２０の裏側に配置されてもよい。光源部１４０は、複数のＬＥＤ（発光ダイオード）から構成されてもよい。なお、ＬＥＤは発光素子の一例である。その場合、光源部１４０は、例えば、複数のＬＥＤ（発光素子）が、フレーム状部材１２０の背面に対向し、かつフレーム状部材１２０の形状に沿って１列のアレイ状又は複数列のアレイ状に配列されるように構成されてもよい。
【００２２】
また、光源部１４０は、例えば、フレーム状部材１２０の表側（より具体的には、前面）に向けて光を出射してもよい。その場合、フレーム状部材１２０として、反射型のフレーム状部材が備えられる。照明装置１が反射型のフレーム状部材１２０を備える場合、光源部１４０は、例えば、発光パネル１１０の側方に配置されてもよい。
【００２３】
なお、光源部１４０として、後述するパネル用光源１１０ａを利用することも可能である。例えば、パネル用光源１１０ａから出射される光を発光パネル１１０に向かう光とフレーム状部材１２０に向かう光とに分岐させることで、光源部１４０を省略できる。その場合において、照明装置１は、パネル用光源１１０ａから出射される光の一部をフレーム状部材１２０に向かう光とするハーフミラー等の光分岐部１８０を有してもよい。
【００２４】
また、例えば、パネル用光源１１０ａから出射される光を、発光パネル１１０を介して受光することで、光源部１４０を省略できる。例えば、照明装置１は、パネル用光源１１０ａから出射され、発光パネル１１０内に入射した後、発光パネル１１０から出射される光を利用してもよい。その場合において、照明装置１は、発光パネル１１０から出射される該光を、フレーム状部材１２０が配置されている方向に偏向するミラー等の光偏向部材を有してもよい。
【００２５】
光源部１４０としてパネル用光源１１０ａを利用する場合、照明装置１は、光源部１４０としてパネル用光源１１０ａを備えているとみなすことができる。なお、パネル用光源１１０ａが外光などを導光して利用するものであれば、照明装置１は、光源部１４０として、外光を導光する導光部を備えているとみなすことができる。このように、照明装置１は、必ずしもフレーム状部材１２０用に別途光源を備えなくてもよい。
【００２６】
フレーム状部材１２０の形状は、上記形状に限定されない。また、光源部１４０の形状、位置、発する光の色及び個数は、上記例に限定されない。
【００２７】
フレーム状部材１２０は、光源部１４０から出射された光を透過又は反射させることで、光Ｌ２を空間１１２に向けて出射する。フレーム状部材１２０は、光源部１４０から出射された光を拡散透過又は拡散反射させることで、光Ｌ２を空間１１２に向けて出射してもよい。
【００２８】
以下では、フレーム状部材１２０が、光源部１４０から出射された光を透過及び拡散させて、光Ｌ２を出射する例を主に示すが、例えば、フレーム状部材１２０は、入射した光を反射及び拡散させて、光Ｌ２を出射してもよい。なお、フレーム状部材１２０は、光Ｌ２に対して拡散性を付与する機能を有しなくてもよい。以下では、フレーム状部材１２０から空間１１２に出射される光を、拡散光であるか否かを問わず、光Ｌ２という。
【００２９】
図３に示すように、照明装置１は、例えば、天井９００の凹部に取り付けられる。この場合、発光パネル１１０は、天窓を模している。天窓を模すために、発光パネル１１０は、例えば、観察者（ユーザ）のいる前方の空間（本例では、空間１１２）に向けて自然な空の色を示す色温度の照明光Ｌ１を出射する。ただし、照明装置１は、天井９００以外の位置、例えば、壁又はドア又は車のボディーに取り付けられてもよい。このように、発光パネル１１０は、青空などの自然の空を再現するものであってもよいが、それに限定されない。発光パネル１１０は、例えば、空の色以外の色を示す照明光Ｌ１を出射するものであってもよい。
【００３０】
発光パネル１１０の具体的構成は問わないが、発光パネル１１０の例として、光を透過、反射、及び導光させることによって拡散させる光透過性部材である導光パネル、液晶とバックライトとを利用した液晶パネル、及び有機ＥＬ（エレクトロルミネッセンス）パネルなどが挙げられる。発光パネル１１０の好適な例としては、入射光に対してレイリー散乱又はそれに似た散乱能を示す拡散体を利用して青空などの自然の空の色味（すなわち、透明感のある青色など）を再現するものであってもよい。例えば、発光パネル１１０は、パネル用光源１１０ａから光を入射して、光Ｌ１として散乱光を出射する導光パネルであってもよい。また、発光パネル１１０は、窓を模することができる他の種類のパネルであってもよい。
【００３１】
導光パネルの一具体例としては、ナノオーダーの光学媒体を含み、入射された光を該光学媒体で散乱させて散乱光を発生させるものが挙げられる。ここで、ナノオーダーの光学媒体は、例えば、ナノ粒子、ナノメートルオーダーの大きさをもつ組成物（ゾルゲル硬化された酸化物等）、孔、表面上の凹部もしくは凸部などである。
【００３２】
そのような導光パネルの背面側又は側面側から光を入射することで、該光（入射光）が拡散体内を導光する過程で、入射光の相関色温度よりも高い相関色温度を有する散乱光を光出射面１１１から出射させることができる。また、導光パネルは、入射光に対して所定の散乱能を発現する散乱層と入射光を透過する透過層とを含み、入射光に対して、拡散体内で散乱層と透過層とを行き来しながら所定の導光端部に導く導光路として機能するよう構成されたものであってもよい。このような積層構造によっても、入射光の相関色温度よりも高い相関色温度を有する散乱光を光出射面１１１から出射させることができる。
【００３３】
図５に示されるように、フレーム状部材１２０は、明部領域１３１及び暗部領域１３２を有する。以下、フレーム状部材１２０において明部領域１３１及び暗部領域１３２の少なくともいずれかが設けられる部分を日差し表現部１３０と呼ぶ場合がある。日差し表現部１３０は、例えば、フレーム状部材１２０の前面上の所定領域に設けられてもよい。フレーム状部材１２０における明部領域１３１及び暗部領域１３２は、発光パネル１１０を通過して太陽からの差し込み光Ｌが照射されたと仮定した場合の該光Ｌによって形成される日なた及び日陰をそれぞれ模している。日なた及び日陰を模すために、フレーム状部材１２０は、光Ｌ２を出射している。
【００３４】
光量調整部２２は、例えば、光源部１４０から出射された光がフレーム形成部１２（本例では、フレーム状部材１２０）に入射して空間１１２に向かう光として出射されるまでの光路上に設けられる。光量調整部２２は、例えば、光源部１４０からフレーム形成部１２に入射される光のうち、暗部領域１３２から空間１１２に向かう光の強度を明部領域１３１から空間１１２に向かう光の強度よりも弱める働きを有する光制限部材であってもよい。また、光量調整部２２は、例えば、光源部１４０からフレーム形成部１２に入射される光のうち、明部領域１３１から空間１１２に向かう光の強度を暗部領域１３２から空間１１２に向かう光の強度よりも強める働きを有する光取出部材であってもよい。このような光量調整部２２を設けることによって、暗部領域１３２を明部領域１３１よりも暗い領域として観察者に視認させる。光の強度は、単位面積当たりの光量、又は輝度ともいう。
【００３５】
透過型のフレーム状部材１２０を備える場合において、照明装置１は、例えば光量調整部２２として、フレーム状部材１２０の裏側から入射される光の一部を吸収又は反射して、暗部領域１３２から空間１１２に進む光の強度を明部領域１３１から空間１１２に進む光の強度より弱める光制限部材（以下、第１の光制限部材という。）を備えてもよい。例えば、マスク１２２は、そのような第１の光制限部材の一例である。
【００３６】
第１の光制限部材は、暗部領域１３２、又は光源部１４０から出射された光がフレーム状部材１２０の背面に入射してフレーム状部材１２０の前面から空間１１２に向かう光として出射されるまでの光路上の暗部領域１３２に対応する領域に配置され、入射される光の少なくとも一部を吸収又は反射する光学部材であってもよい。このような光学部材を備えることで、光源部１４０からの光のうち暗部領域１３２を通って空間１１２に進む光の強度を、明部領域１３１を通って空間１１２に進む光の強度よりも弱くすることができる。
【００３７】
ここで、「光源部１４０から出射された光がフレーム状部材１２０の背面に入射してフレーム状部材１２０の前面から空間１１２に向かう光として出射されるまでの光路」には、光源部１４０から出射された光がフレーム状部材１２０の背面に入射するまでの光路、及びフレーム状部材１２０の背面に入射した光が空間１１２に向かう光としてフレーム状部材１２０の前面から出射されるまでの光路が含まれる。したがって、上記の光路上には、光源部１４０とフレーム状部材１２０の間（例えば、フレーム状部材１２０の裏側の空間）だけでなく、フレーム状部材１２０の表面及びフレーム状部材１２０内の種々の界面等が含まれる。
【００３８】
また、そのような光路上の「暗部領域１３２に対応する領域」とは、その光路上の任意の位置（光の進行方向における位置）において、光源部１４０からの光がその領域を通過するとフレーム状部材１２０の暗部領域１３２から空間１１２に向かう光となる領域（光の拡がる方向における範囲）をいう。例えば、暗部領域１３２がフレーム状部材１２０の前面上に形成される場合には、フレーム状部材１２０の背面上の領域を指す場合には、背面上において前面上の暗部領域１３２に対向する領域を、暗部領域１３２に対応する領域としてもよい。
【００３９】
なお、明部領域１３１に対応する領域は、上記の「暗部領域１３２に対応する領域」の説明における暗部領域１３２を明部領域１３１に読み替えればよい。また、反射型のフレーム状部材１２０についても同様である。
【００４０】
第１の光制限部材は、例えば、光源部１４０とフレーム状部材１２０との間、フレーム状部材１２０の光源部１４０からの光に対する入射面若しくは出射面が形成される表面上、又はフレーム状部材１２０内に存在する種々の界面において、暗部領域１３２又は暗部領域１３２に対応する領域を覆うように設けられてもよい。
【００４１】
また、反射型のフレーム状部材１２０を備える場合において、照明装置１は、例えば光量調整部２２として、フレーム状部材１２０の表側から入射される光の一部を吸収又は透過（反射防止）して、暗部領域１３２から空間１１２に進む光の強度を明部領域１３１から空間１１２に進む光の強度より弱める光制限部材（以下、第２の光制限部材という。）を備えてもよい。
【００４２】
例えば、第２の光制限部材は、暗部領域１３２又は光源部１４０から出射された光がフレーム状部材１２０の前面に入射して再びフレーム状部材１２０の前面から空間１１２に向かう光として出射されるまでの光路上の暗部領域１３２に対応する領域に配置され、入射光の少なくとも一部を吸収、透過（反射防止）又は空間１１２に向かわない角度に偏向する光学部材であってもよい。このような光学部材を備えることで、光源部１４０からの光のうちフレーム状部材１２０で反射されて暗部領域１３２から空間１１２に進む光の強度を明部領域１３１から空間１１２に進む光の強度よりも弱くすることができる。
【００４３】
ここで、「光源部１４０から出射された光がフレーム状部材１２０の前面に入射して再びフレーム状部材１２０の前面から空間１１２に向かう光として出射されるまでの光路」には、光源部１４０から出射された光がフレーム状部材１２０の前面に入射するまでの光路、及びフレーム状部材１２０の前面に入射した光が再びフレーム状部材１２０の前面から空間１１２に向かう光として出射されるまでの光路が含まれる。したがって、上記の光路上には、光源部１４０とフレーム状部材１２０の間（例えば、フレーム状部材１２０の表側の空間）だけでなく、フレーム状部材１２０の表面及びフレーム状部材１２０内の種々の界面、フレーム状部材１２０と光反射部材が分離して配置されていればそれらの間等が含まれる。
【００４４】
例えば、第２の光学部材は、例えば、光源部１４０とフレーム状部材１２０との間、フレーム状部材１２０の光源部１４０からの光に対する入射面若しくは出射面が形成される表面上、フレーム状部材１２０内に存在する種々の界面、又はフレーム状部材１２０と光反射部材の間において、暗部領域１３２又は暗部領域１３２に対応する領域を覆うように設けられてもよい。
【００４５】
図６は、照明装置１の制御系の構成例を示すブロック図である。図６に示されるように、照明装置１は、例えば、発光パネル１１０の光源であるパネル用光源１１０ａを点灯、調光、又は消灯させる駆動回路であるパネル用光源駆動部１１５と、光源部１４０を点灯、調光、又は消灯させる駆動回路である光源駆動部１４５と、パネル用光源駆動部１１５及び光源駆動部１４５を制御する制御回路である点灯制御部１１６とを備えている。点灯制御部１１６は、パネル用光源１１０ａの点灯、調光、及び消灯と、光源部１４０の点灯、調光、及び消灯とが互いに一定の関連性を持つように制御することができる。また、点灯制御部１１６は、パネル用光源１１０ａの点灯、調光、及び消灯と、光源部１４０の点灯、調光、及び消灯とを独立に制御してもよい。なお、図６には、パネル用光源１１０ａと光源部１４０とが別個の光源である場合が示されているが、これらは、共通の光源であってもよい。つまり、パネル用光源１１０ａが、光源部１４０の機能を兼ねてもよい。この場合、パネル用光源駆動部１１５が、光源駆動部１４５の機能を兼ねる。パネル用光源１１０ａ及び光源部１４０は、例えば、ＬＥＤ、レーザ発光素子、蛍光管、などである。
【００４６】
図７は、天井９００に取り付けられた照明装置１を下から見上げたときに観察される状態例を示す概略図である。図８は、照明装置１の構成例を概略的に示す要部断面図である。図９（Ａ）は、図８に示す照明装置１のフレーム状部材１２０の明部領域１３１及び暗部領域１３２を表側（空間１１２内）から水平方向に見たときの例を示す正面図、図９（Ｂ）は、図９（Ａ）をＩＸ−ＩＸ線で切る概略断面図である。
【００４７】
本例において、フレーム状部材１２０は、発光パネル１１０の前方かつ端部と接する位置に設けられている。また、フレーム状部材１２０は、発光パネル１１０の光出射面１１１を露出させるように、開口部を備えた形状を有している。図４及び図７に示されるように、フレーム状部材１２０は、４つの側壁で形成されており、フレーム状部材１２０を−Ｚ方向に見た場合の形状は、長方形又は正方形などの四角形である。ただし、フレーム状部材１２０を−Ｚ方向に見た場合の形状は、四角形以外の形状であってもよい。例えば、フレーム状部材１２０を−Ｚ方向に見た場合の形状は、四角形以外の多角形であってもよい。また、フレーム状部材１２０を−Ｚ方向に見た場合の形状は、円形、楕円形、又は滑らかな曲線で形成された形状、などであってもよい。なお、本例では、フレーム状部材１２０の前面は、照明装置１を設置した状態において観察者側に露出する内側の面であり、フレーム状部材１２０の背面は、観察者側に露出しない外側の面である。
【００４８】
図８及び図９（Ｂ）に示されるように、フレーム状部材１２０は、光透過性部材である基材としての枠体１２１と、第１の光制限部材としてのマスク１２２と、第１の光拡散部材である光透過拡散部材１２３とを有してもよい。光透過拡散部材１２３は、通過する光を拡散させる機能を持つ。枠体１２１は、例えば、光透過性の材料を用いた一体成型により形成される。マスク１２２は、フレーム状部材１２０の枠体１２１の表側（空間１１２側）の面の一部の領域に配置されている。なお、マスク１２２は、フレーム状部材１２０の一部を構成しなくてもよい。一例として、マスク１２２は、光源部１４０とフレーム状部材１２０の間に独立して設けられてもよい。
【００４９】
光透過拡散部材１２３は、フレーム状部材１２０の枠体１２１の空間１１２側の面上であってマスク１２２の面上に配置されている。なお、マスク１２２が仮にフレーム状部材１２０の枠体１２１の裏側の面（背面）上に形成されている場合であっても、光透過拡散部材１２３は、フレーム状部材１２０の枠体１２１の空間１１２側の面上に設けられるのが好ましい。換言すると、光透過拡散部材１２３は、光量調整部２２（本例では、マスク１２２）よりも空間１１２に近い位置に設けられるのが好ましい。
【００５０】
マスク１２２は、フレーム状部材１２０の枠体１２１を通って空間１１２に向かう光の一部を遮ることによって光量を低下させる機能を持つ。
【００５１】
光透過拡散部材１２３は、例えば、フレーム状部材１２０の前面の全域又は一部の領域に形成される。光透過拡散部材１２３は、入射光の一部を透過及び拡散させる機能を持つ。例えば、光透過拡散部材１２３は、フレーム状部材１２０の前面上の所定領域に、光透過拡散材料を塗布若しくは印刷し、又は光拡散部材であるフィルムを貼着することにより、又は、これらの組み合わせにより形成される。
【００５２】
光透過拡散部材１２３は、例えば、フレーム状部材１２０の明部領域１３１及び暗部領域１３２を含む前面全域に形成されてもよい。このようにすることで、フレーム状部材１２０の前面に統一された質感を持たせることができる。さらに、光源部１４０の消灯時に観察者にマスク１２２及び光源部１４０を視認されにくくできる。
【００５３】
明部領域１３１に形成される光透過拡散部材１２３として、相対的に光透過率が高い材料を用い、暗部領域１３２に形成される光透過拡散部材１２３として、相対的に光透過率が低い材料を用いてもよい。その場合、暗部領域１３２に形成される光透過拡散部材１２３が、第１の光制限部材とみなされる。
【００５４】
フレーム状部材１２０に入射する光が拡散光である場合又は、枠体１２１内に粒子が分散されたり、表面粗しなどの加工がされたりして枠体１２１自体が拡散機能を有する場合には、光透過拡散部材１２３は省略されてもよい。
【００５５】
フレーム状部材１２０前面が有する暗部領域１３２は、光源部１４０点灯時において、日差しが物（窓枠等）に遮られてできる領域である日陰を模した疑似日陰が形成される領域である。マスク１２２は、暗部領域１３２に疑似日陰を形成する。暗部領域１３２は疑似日陰領域とも呼ばれる。また、フレーム状部材１２０が有する明部領域１３１は、光源部１４０点灯時において、日差しが照射されてできる領域である日なたを模した疑似日なたが形成される領域である。
【００５６】
暗部領域１３２は、例えば、照明装置１の設置状態と仮想の太陽の位置とに基づいて決められる。暗部領域１３２は、例えば、仮想の太陽からの光が仮想の窓である発光パネル１１０から出射されたときに、仮想の窓枠であるフレーム状部材１２０に形成される日陰領域と一致させてもよい。照明装置１の設置環境は、照明装置１の３次元位置（すなわち、緯度、経度、高さ方向の位置）、姿勢（すなわち、方位角、仰角）、及び周囲環境（すなわち、天井の形状、デザイン）などである。暗部領域１３２は、実際の太陽の位置に基づいて決定されてもよいが、仮想の太陽の位置に基づいて決定されてもよい。例えば、照明装置１を日本における建築物内に設置する場合に、外国における太陽の位置に基づいて暗部領域１３２を決定してもよい。
【００５７】
マスク１２２は、例えば、光透過性部材である枠体１２１に、光透過率を制限する部材を塗布若しくは印刷、又は光透過を制限するフィルムを貼着、又はこれらの組み合わせによって形成される。光透過率を制限する部材としては、例えば、光吸収部材又は光反射部材を用いることができる。また、フィルムとしては、偏光フィルム又は遮光性を持つ紙などを用いることも可能である。マスク１２２の構成は、上記の例に限定されない。マスク１２２の特に背面（空間１１２を向かない側の面）は、光反射率が高い（例えば、５０％以上）材料で形成されてもよい。さらにまた、マスク１２２は、光を透過しないフィルムに微小開口を複数形成し、光透過率を制御することで上記の機能を持たせたものであってもよい。また、マスク１２２は、入射光の一部を透過させ、一部を反射させる機能を持つフィルムを用いて構成されてもよい。マスク１２２の光透過率は、１％〜５０％程度の範囲内であることが望ましい。
【００５８】
《１−２》動作
光源部１４０から出射した光は、明部領域１３１に対応する領域においては、枠体１２１を透過した後、光透過拡散部材１２３で透過及び拡散されてフレーム状部材１２０から出射される。この結果、フレーム状部材１２０の明部領域１３１は、明るい高輝度の領域に見える。一方、光源部１４０から出射した光は、暗部領域１３２に対応する領域においては、枠体１２１を透過した後、マスク１２２で多くが反射される。マスク１２２で反射されずにマスク１２２を透過した光は、光透過拡散部材１２３で透過及び拡散されてフレーム状部材１２０から出射される。マスク１２２は、入射光のすべてを反射するものであってもよいし、ある程度の光を透過するものであってもよい。暗部領域１３２から出射される光はマスク１２２を通った光であるため、フレーム状部材１２０の暗部領域１３２は、明部領域１３１よりも暗い低輝度の領域に見える。つまり、明部領域１３１の単位面積あたりの発光量は高く、暗部領域１３２の単位面積当たりの発光量は低くなる。なお、フレーム状部材１２０の暗部領域１３２では、フレーム状部材１２０の発光量が小さいため、フレーム状部材１２０の暗部領域１３２の裏側には、光源部１４０を配置しないことも可能である。換言すると、フレーム状部材１２０の明部領域１３１の裏側にのみ、光源部１４０を配置してもよい。
【００５９】
図５及び図７に示されるように明部領域１３１及び暗部領域１３２を形成すれば、照明装置１の下から上を見上げた観察者は、明部領域１３１と暗部領域１３２を日なたと日陰のように感じることができる。つまり、観察者は、あたかも発光パネル１１０から実際の太陽光、すなわち、自然光が差し込んでいるように感じることができる。なお、実際に窓から差し込む太陽光は、ほぼ平行光であるが、明部領域１３１と暗部領域１３２によって発光パネル１１０から入射したと感じられる光は、平行光である必要はない。
【００６０】
図５及び図７に示す例では、照明装置１は、光出射面１１１の外周をなす４辺のうち２つの辺に対応する２面において面内領域の一部に明部領域１３１を有しており、光源部１４０点灯時に該明部領域１３１に日なたを模す疑似日なたを形成する。また、照明装置１は、他の２つの辺に対応する２面と明部領域１３１が配置された２面の残りの部分とに暗部領域１３２を有しており、光源部１４０点灯時に該暗部領域１３２に日陰を模す疑似日陰を形成する。このようにして、照明装置１は、図１０に示される仮想光源の方向に、太陽が存在している場合を模すことができる。
【００６１】
図５及び図７に示される例では、暗部領域１３２は、光出射面１１１の外周をなす４辺に対応するフレーム状部材１２０の４つの面にわたって配置されており、明部領域１３１は、フレーム状部材１２０の２つの面にわたって配置されている。このように、フレーム状部材１２０を、光出射面１１１の４辺に対応する４つの前面を有する四角形の枠形状とみなした場合、明部領域１３１及び暗部領域１３２は次のように配置されてもよい。すなわち、暗部領域１３２は、フレーム状部材１２０の枠形状における４つの辺（より具体的には、枠形状の４つの辺を構成する枠体１２１が有する４つの前面）にわたって配置され、明部領域１３１は、フレーム状部材１２０の枠形状における２つの辺（より具体的には、枠形状の４つの辺を構成する枠体１２１が有する４つの前面のうちの２つの前面）にわたって配置されてもよい。なお、上記の例以外にも、例えば後述の図１２に示すように、暗部領域１３２が、四角形の枠形状における３つの辺にわたって配置され、明部領域１３１が、四角形の枠形状における他の１辺とその両側に接続される２辺とを含む３つの辺にわたって配置されてもよい。
【００６２】
《１−３》変形例
図１０は、実施の形態１に係る照明装置１の変形例の照明装置１ａのフレーム状部材１２０ａにおける明部領域１３１及び暗部領域１３２と仮想光源との関係の一例を示す図である。図１０において、仮想光源は、太陽を模している。明部領域１３１及び暗部領域１３２は、発光パネル１１０が実際の窓であったならば窓から差し込む光によって形成されると思われる日なた領域と、光の当たらない日陰領域とを模している。
【００６３】
図１１は、照明装置１ａのフレーム状部材１２０ａにおける明部領域１３１及び暗部領域１３２を示す斜視図である。図１２は、照明装置１ａを下から見上げたときに観察される状態例を示す概略図である。図１１及び図１２に示す例では、フレーム状部材１２０ａは、３辺（１辺と２辺の一部）に明部領域１３１を有しており、該明部領域１３１に日なたを模す疑似日なたを形成する。また、フレーム状部材１２０ａは、他の１辺と明部領域１３１が配置された２辺の残りの部分とに暗部領域１３２を有しており、該暗部領域１３２に日陰を模す疑似日陰を形成する。このような構成の場合にも、自然な光が差し込んでいると感じさせることができる。
【００６４】
また、明部領域１３１及び暗部領域１３２は、暗部領域１３２の形状（特に両端に存在する明部領域１３１との境界）において、次のような特徴を有してもよい。すなわち、明部領域１３１と暗部領域１３２の境界を、光出射面１１１の法線方向と平行な平面（図１２に示す例では、ＹＺ平面）に投影して観たときに、２つの境界が重なるという特徴、より具体的には、光出射面１１１の法線方向と垂直な方向において２つの境界位置が一致する投影方向（図１２に示す例では、Ｘ軸方向と平行な方向）が存在するという特徴である。これは、平行光である太陽光からの差し込み光を模擬した結果現れる特徴である。
【００６５】
また、発光パネル１１０を、窓を通して見る晴天時の青空を模擬する照明パネルと想定すると、明部領域１３１は晴天時の窓枠の日なた領域、暗部領域１３２は晴天時の窓枠の日陰領域を模擬できることが好ましい。このような場合において、点灯時の発光パネル１１０に対して点灯時の明部領域１３１すなわち疑似日なた領域が明るく、同時に明部領域１３１から出射される光Ｌ２が光出射面１１１から出射される光Ｌ１よりも低色温度であることは、容易に想像できる。例えば、晴天時の青空の輝度は、５０００［ｃｄ／ｍ２］程度であり、窓枠部材に多く用いられる白色拡散反射面での日なた領域の輝度は、３００００［ｃｄ／ｍ２］程度である。また、晴天時の青空を視認するときの光の色温度は、２００００［Ｋ］程度で、白色拡散反射面において日なた領域を視認するときの光の色温度は、５０００［Ｋ］程度である。そのため、発光パネル１１０と明部領域１３１との輝度及び発する光の色温度の大小関係は、上記の通りに維持されることが望ましい。ただし、窓を通してみる空は晴天時の青空に限らず、雨天時又は雲天時又はこれらの両方も含めると、発光パネル１１０と明部領域１３１との間の輝度（又はそれらから出射される光束）の比率は、２０：１から１：３０の範囲内がより好ましい。
【００６６】
例えば、点灯時の発光パネル１１０の輝度は１００［ｃｄ／ｍ２］〜６０００［ｃｄ／ｍ２］、より好ましくは５００［ｃｄ／ｍ２］〜３０００［ｃｄ／ｍ２］であってもよい。これに対して、点灯時の明部領域１３１の輝度は３００［ｃｄ／ｍ２］〜３００００［ｃｄ／ｍ２］、より好ましくは１０００［ｃｄ／ｍ２］〜１２０００［ｃｄ／ｍ２］であってもよい。また、発光パネル１１０から出射される光Ｌ１の相関色温度は１００００［Ｋ］〜１０００００［Ｋ］、より好ましくは２００００［Ｋ］〜８００００［Ｋ］であってもよい。これに対して、明部領域１３１から出射される光Ｌ２の相関色温度は２０００［Ｋ］〜７０００［Ｋ］、より好ましくは２５００［Ｋ］〜６５００［Ｋ］であってもよい。
【００６７】
また、発光パネル１１０発する光Ｌ１と明部領域１３１が発する光Ｌ２の相関色温度の差は、２００００Ｋ以上かつ９８０００Ｋ以下であってもよい。
【００６８】
さらに、点灯時の明部領域１３１と暗部領域１３２の輝度（又は光束）の比は、１００：１から２０：１の範囲内であることが望ましく、約１０：１であることがより望ましい。ただし、この関係性は、晴天時に成立する条件であり、曇り、夜などの条件ではこの限りではない。
【００６９】
《１−４》効果
以上に説明したように、照明装置１及び１ａを用いれば、フレーム状部材１２０から出射される光Ｌ２が窓枠の日なた領域と日陰領域とを模することができるので、実際に太陽からの差し込み光がないような環境であっても、あたかも太陽からの差し込み光が発光パネルを通して照射されているかのような、自然な造景を観察者に与えることができる。さらに、出射される照明光Ｌ１が自然光を模擬する発光パネル１１０と組み合わされることで、より自然な造景を観察者に与えることができる。また、照明装置１及び１ａは、光透過性部材の枠体１２１の暗部領域１３２に対応する領域にマスク１２２を設ける構成によって、簡単に、暗部領域１３２に疑似日陰（疑似日なた領域との境界部を含む）が形成できるなど、複雑な構成を必要としないという利点がある。
【００７０】
《２》実施の形態２．
図１３は、実施の形態２に係る照明装置２の構成例を概略的に示す要部断面図である。図１３は、図８の構成例に対応する構成例を示している。図１３に示されるように、実施の形態２に係る照明装置２は、フレーム状部材の構造の点において、実施の形態１に係る照明装置１と相違する。実施の形態２の照明装置２は、光透過性部材である枠体１２１の背面上にマスク１２２が設けられたフレーム状部材２２０を備える。なお、図１３に示す例では、マスク１２２がフレーム状部材２２０の構成要素の１つとして示されているが、既に説明したように、マスク１２２は、例えば光源部１４０とフレーム状部材２２０の間（例えば、フレーム状部材２２０の裏側の空間）に設けられてもよい。上記以外に関して、実施の形態２は、実施の形態１と同じでよい。
【００７１】
実施の形態２に係る照明装置２を用いても、第１の実施形態と同様の効果が得られる。
【００７２】
さらに、実施の形態２に係る照明装置２では、マスク１２２を光透過拡散部材１２３から離して配置することで、フレーム状部材２２０の明部領域１３１と暗部領域１３２との間の境界部においてぼやけを生じさせることができるので、簡易な構成で、より自然な造景を観察者に与えることができる。
【００７３】
《３》実施の形態３．
図１４は、実施の形態３に係る照明装置３の構成例を概略的に示す要部断面図である。図１４は、図８及び図１３の構成例に対応する構成例を示している。図１４に示されるように、実施の形態３に係る照明装置３は、フレーム状部材の構造の点において、実施の形態１及び２に係る照明装置１及び２と相違する。実施の形態３の照明装置３は、光透過性部材である枠体１２１が、光出射面１１１から離れるに従って厚みＴ（光源部１４０からの光の進行方向における長さ）が増えるように構成されている。図１４に示す例では、マスク１２２は、枠体１２１の背面上の暗部領域１３２に対応する領域に設けられる。また、光透過拡散部材１２３は、枠体１２１の表側の面（前面）上に設けられる。なお、光透過拡散部材１２３が省略可能な点は、実施の形態１と同様である。
【００７４】
図１５（Ａ）は、実施の形態３に係る照明装置３のフレーム状部材３２０の明部領域１３１及び暗部領域１３２の例を示す正面図、図１５（Ｂ）は、図１５（Ａ）をＸＶ−ＸＶ線で切る概略断面図である。図１４の構成を採用した場合、照明装置３のフレーム状部材３２０の明部領域１３１と暗部領域１３２との境界部１３３における光透過率は、光出射面１１１から離れるに従って増加する。つまり、図１５（Ａ）に示されるように、照明装置３のフレーム状部材３２０は、光出射面１１１から離れるに従って明部領域１３１と暗部領域１３２との境界部１３３におけるぼやけが増加する。
【００７５】
窓を介して窓枠に太陽からの直達光が差し込んだ際に、例えば、図７に示されるように日なたと日陰が形成されることが、想像できる。しかし、より詳細に観察すると、日なたと日陰の境界部は、窓から遠ざかるに従ってぼやけが増加している。これは、太陽が大きさを持つ光源であり、窓の開口から照射位置までの距離が増加するほど、窓枠につくられる影の境界がぼやけるからである。
【００７６】
そこで、照明装置３は、マスク１２２と光透過拡散部材１２３との間隔を、光出射面１１１から離れるに従って徐々に増加するよう変化させている。このように構成することで、図１５（Ａ）に示されるように、ぼやけを光出射面１１１から離れるに従って徐々に増加させる。具体的には、照明装置３のフレーム状部材３２０は、発光パネル１１０の光出射面１１１から離れるに従って、マスク１２２と光透過拡散部材１２３との距離を増加させるべく、枠体１２１の厚みＴが増加するように構成されている。
【００７７】
また、光透過拡散部材１２３を省略して枠体１２１に散乱能を持たせた上で、発光パネル１１０の光出射面１１１から離れるに従って枠体１２１の厚みＴが増加するように構成することで、上記と同様の効果が得られる。
【００７８】
また、枠体３２１の厚みＴを変化させず、マスク１２２の明部領域１３１との境界部１３３に対応する領域の光透過率を、発光パネル１１０の光出射面１１１から離れるに従って増加するように構成することで、同様の効果を得てもよい。
【００７９】
例えば、マスク１２２として形成される光遮蔽機能を持つ構成材料の印刷密度を増減させることで光透過率を面内で変化させることができる。
【００８０】
一例として、図１５（Ａ）及び（Ｂ）に示すように、マスク１２２に代えて、面内で光透過率が異なるマスク１２２ａを設けてもよい。マスク１２２ａは、少なくとも暗部領域１３２に含まれる明部領域１３１との境界を構成する境界部１３３に対応する領域において、発光パネル１１０の光出射面１１１から離れるに従って、光遮蔽機能を持つ構成材料の印刷密度が低くなる又は該構成材料の塗布量が少なくなるように構成されている。なお、マスク１２２ａは、該領域において、発光パネル１１０の光出射面１１１から離れるに従って当該マスク１２２ａを構成するフィルムの厚みが減少するように構成されてもよい。このようにして、マスク１２２ａの光透過率を面内で変化させることにより境界部１３３にぼやけを生じさせることができる。
【００８１】
なお、マスク１２２ａの形成先は、フレーム状部材１２０の背面上に限定されない。例えば、図８に示すような、枠体１２１と光透過拡散部材１２３との間にマスク１２２ａを備えてもよい。
【００８２】
また、マスク１２２ａを設ける領域も、暗部領域１３２に含まれる境界部１３３に対応する領域に限定されない。例えば、マスク１２２ａは、明部領域１３１に含まれる暗部領域１３２との境界を構成する境界部を含む日差し表現部１３０全域又はそれに対応する領域に設けられてもよい。その場合において、マスク１２２ａは、境界部に対応する領域よりも明部領域１３１に対応する領域の光透過率を高くすればよい。
【００８３】
以上に説明したように、実施の形態３に係る照明装置３を用いれば、実施の形態１及び２の効果に加えて、フレーム状部材３２０の明部領域１３１と暗部領域１３２との境界部１３３において光出射面１１１から離れるに従ってぼやけが増加する構成とできるので、窓枠を高い品質で模することができる。すなわち、簡易な構成で、さらに自然な造景を観察者に与えることができる。
【００８４】
《４》実施の形態４．
図１６は、実施の形態４に係る照明装置４の構成例を概略的に示す要部断面図である。図１６は、図８、図１３、及び図１４の構成例に対応する構成例を示している。図１７は、実施の形態４に係る照明装置４の構成例をフレーム状部材の裏側から見た背面図である。
【００８５】
照明装置４は、フレーム状部材１２０の背面と光源部１４０とを接続する光反射拡散部材１５０を有している。
【００８６】
光反射拡散部材１５０は、半円柱状の凹面を有し、入射する光の一部を反射及び拡散させてフレーム状部材１２０の背面に到達させる機能を持つ。
【００８７】
上記以外の点に関し、実施の形態４は、実施の形態１から３のいずれかと同じでよい。例えば、図１６に示す例では、フレーム状部材の例として、図８に示す実施の形態１のフレーム状部材１２０を示しているが、フレーム状部材の構成はこれに限定されない。
【００８８】
図１６に示す例において、光源部１４０は、ＬＥＤ１４１、ＬＥＤ基板１４２、及び光源ホルダ１４３を有している。光反射拡散部材１５０は、光源ホルダ１４３に固定され、その開放端は、フレーム状部材１２０の背面に近接するように配置されている。光反射拡散部材１５０は、例えば、板金又は樹脂板に白塗装することで形成される。また、光反射拡散部材１５０は、板金又は樹脂板に光を拡散するフィルムを貼着することで構成してもよい。
【００８９】
光源部１４０（より具体的には各ＬＥＤ１４１）から発せられた光は、その多くがそのままフレーム状部材１２０の背面に到達するが、一部の光は光反射拡散部材１５０により反射及び拡散された結果、フレーム状部材１２０の背面に到達する。光反射拡散部材１５０で反射及び拡散することで、光源部１４０からの光を効率的に（迷光とさせずに）、フレーム状部材１２０の背面全域に入射させることができる。
【００９０】
なお、照明装置４は、光反射拡散部材１５０に代えて、拡散性を有しない光反射部材１５０ａを備えることも可能である。
【００９１】
以上に説明したように、実施の形態４に係る照明装置４を用いれば、実施の形態１〜３の効果に加えて、光源部１４０から出射された光のロスを軽減することができる。すなわち、光源部１４０からの光の利用効率を向上できる。
【００９２】
図１８は、実施の形態４の変形例に係る照明装置４ａの構成例を概略的に示す要部断面図である。図１８に示される照明装置４ａは、光源部１４０とフレーム状部材１２０の背面との間に第２の光拡散部材としての光透過拡散部材１６０が備えられている点において、図１６に示される照明装置４と異なる。
【００９３】
本例において、光源部１４０の各ＬＥＤ１４１から発せられた光は、光透過拡散部材１６０で拡散された上でフレーム状部材１２０の背面に到達する。このとき、光透過拡散部材１６０によってアレイ状に配列された複数のＬＥＤから出射された光の強度分布が重なりあうことで、フレーム状部材１２０に到達する光の強度分布が均一化される。
【００９４】
また、本例においても、照明装置４ａは、光反射拡散部材１５０に代えて、拡散性を有しない光反射部材１５０ａを備えることが可能である。そのような場合であっても、光源部１４０から発せられた光が迷光になることを防止して、効率的にフレーム状部材１２０の背面に到達させることができる。
【００９５】
以下では、光源部１４０からの光を偏向（反射及び拡散を含む）して前記フレーム状部材に導くために設けられた光反射拡散部材１５０、光反射部材１５０ａ及び後述する光透過拡散部材１６０等を総称して、第１の光偏向部材と呼ぶ場合がある。
【００９６】
以上に説明したように、照明装置４ａを用いれば、光透過拡散部材１６０をさらに備えているので、アレイ状に配列された複数のＬＥＤから出射された光の強度分布を均一化できるなど、明部領域における輝度ムラをさらに軽減することができる。
【００９７】
《５》実施の形態５．
図１９は、実施の形態５に係る照明装置５を下から見上げたときに観察される状態例を示す概略図である。図２０は、実施の形態５に係る照明装置の構成例を概略的に示す断面図である。図１９は、図８、図１３、図１４、及び図１６の構成例に対応する構成例を示している。
【００９８】
実施の形態５に係る照明装置５は、フレーム状部材５２０がフランジ部２３０をさらに有している点が、実施の形態１から４に係る照明装置と異なる。
【００９９】
ここで、フランジ部２３０は、フレーム状部材５２０において日差し表現部１３０（明部領域１３１又は暗部領域１３２若しくはその両方）が形成される領域の光出射面１１１から最も遠い端部に接続され、該端部から外側に向けて延在する部分をいう。例えば、天井に設けられる場合、該端部から外側に向けて水平方向に延在する部分をフランジ部とみなしてもよい。また、水平面に垂直な壁に設けられる場合、該端部から外側に向けて鉛直方向に延在する部分をフランジ部とみなしてもよい。
【０１００】
フランジ部２３０は、図２０に示すように、板状の部材である板状部２３１と、板状部２３１の表側に備えられる光拡散部材２３２とを有していてもよい。板状部２３１は、光透過性部材であってもよいが、観察者に光源部１４０を視認させないために、不透明な部材であってもよい。なお、光反射拡散部材１５０、光反射部材１５０ａ又は光拡散部材２３２等によって、光源部１４０が視認されないように構成される場合は、この限りではない。
【０１０１】
また、枠体１２１が板状部２３１を兼ねてもよい。例えば、枠体１２１が、日差し表現部１３０（明部領域１３１又は暗部領域１３２若しくはその両方）が形成される領域の光出射面１１１から最も遠い端部から外側に向けて広がるように構成されてよい。
【０１０２】
光拡散部材２３２は、例えば、光反射拡散部材である。光反射拡散部材における光透過率は、例えば、１％〜５０％程度であってもよい。なお、光反射拡散部材における光透過率は、例えば、１０％以下でもよい。
【０１０３】
また、光拡散部材２３２は、光透過拡散部材であってもよい。光透過拡散部材における光透過率は、例えば、５０％以上である。その場合に、光透過拡散部材１２３が、光拡散部材２３２を兼ねてもよい。例えば、光透過拡散部材１２３が、枠体１２１の前面上及び板状部２３１の前面上に、一体に又は連続して設けられてもよい。なお、枠体１２１が板状部２３１を兼ねている場合、光透過拡散部材１２３を、枠体１２１の前面を覆うように形成することで同様の構成とできる。なお、後述する理由から、フランジ部２３０の表面に設けられる光拡散面は、少なくとも表側からの入射光に対して光反射性を有するのがより好ましい。例えば、光拡散部材２３２として光透過拡散部材を備える構成であっても、光透過拡散部材は、一部の光を反射することが好ましい。
【０１０４】
照明装置５を天井に設置する場合、フランジ部２３０は、例えば、天井面に平行に又は面一に配置される。また、照明装置５を壁に設置する場合、フランジ部２３０は、例えば、壁面に平行に又は面一に配置される。なお、フランジ部２３０の形状は、図示のものに限定されない。例えば、フランジ部２３０は、複数の部材で構成されてもよい。また、照明装置５は、フランジ部２３０を着脱自在にする構造又はフランジ部２３０を備えない構造を採用してもよい。
【０１０５】
また、フレーム状部材５２０が、設置先の面（天井面、壁面等）に平行となる部位を備え、その前面（以下、フランジ面２３３という）に日差し表現部１３０（すなわち明部領域１３１及び暗部領域１３２）を有してもよい。なお、実施の形態５に限らず、フレーム状部材において日差し表現部１３０が設けられる位置は、特に限定されない。例えば、図２０に示す枠体１２１の前面とフランジ面とに日差し表現部１３０を形成することも可能である。
【０１０６】
また、図２０に示す例では、フレーム状部材５２０のＺ方向に切断した断面形状（以下、垂直断面形状という）がＬ字状であり、日差し表現部１３０が形成される枠体１２１の前面とフランジ部２３０とが直角に接続されているが、フレーム状部材５２０の垂直断面形状は曲線形状（すなわち、フレーム状部材５２０が湾曲面形状）であってもよい。そのようなフレーム状部材５２０の表側の湾曲面に明部領域１３１と暗部領域１３２とを設けてもよい。
また、その場合において、フレーム状部材は、そのような湾曲面の端部にフランジ部２３０をさらに接続してもよいし、しなくてもよい。
【０１０７】
既に説明したように、枠体１２１とフランジ部２３０の板状部２３１とは、一体で成型されてもよい。また、枠体１２１とフランジ部２３０の板状部２３１とは、他の部品によって連結されてもよい。
【０１０８】
また、光源部１４０の周りに光反射拡散部材１５０を設けずに、又は光反射拡散部材１５０を一部の光を透過するよう構成し、光源部１４０から出射された光の一部を、フランジ部２３０を通して＋Ｚ方向に出射させることも可能である。その場合、フランジ部２３０は、例えば、光透過性部材である板状部２３１と、光透過拡散部材である光拡散部材２３２とで構成される。
【０１０９】
図２１（Ａ）は、実施の形態５の変形例に係る照明装置５ａのフレーム状部材５２０ａの構成例を概略的に示す要部斜視図、（Ｂ）は、図２１（Ａ）をＸＸＩ−ＸＸＩ線で切る概略断面図である。図２１に示されるように、フレーム状部材５２０ａは、複数の開口部１７０を備えた構造を有してもよい。なお、開口部１７０は１つでもよい。
【０１１０】
フレーム状部材５２０ａは、例えば、所定の高さを有する開口部１７０を有する枠体１２１ａを備える。本例において、日差し表現部１３０（明部領域１３１又は暗部領域１３２若しくはその両方）は、枠体１２１ａが備える開口部１７０の側壁１７１に少なくとも設けられる。本例の側壁１７１は、開口部１７０によって形成されるフレーム状部材５２０ａの前面に相当する。また、枠体１２１ａの前方の面は、上記のフランジ面２３３に相当する。
【０１１１】
なお、フランジ面２３３もフレーム状部材５２０ａの前面に相当するが、本例では、フランジ面２３３に日差し表現部１３０を設けずに、光拡散部材２３２として光反射拡散部材を設けている。
【０１１２】
本例の枠体１２１ａは、光透過性部材である。側壁１７１の裏側には、光源部１４０を収納する収納部１７２が開口部１７０を囲うように設けられてもよい。この場合、光源部１４０は、収納部１７２に収納され、側壁１７１の裏側から光を入射する。本例においても、側壁１７１の裏側の面である背面（より具体的には、収納部１７２の内壁）に、該背面と光源部１４０とを接続する光反射拡散部材１５０を備えていてもよい。
【０１１３】
また、枠体１２１ａに収納部１７２を設けずに、発光パネル１１０の後方に光源部１４０を設け、発光パネル１１０を介して光源部１４０からの光を側壁１７１の裏側から入射させてもよい。
【０１１４】
側壁１７１の表側の面である前面上には、光透過拡散部材１２３が設けられる。そして、光透過拡散部材１２３よりも裏側であって暗部領域１３２に対応する領域に、マスク１２２が設けられる。図２１に示す例では、収納部１７２によって形成される、側壁１７１の背面にマスク１２２が設けられているが、マスク１２２は、例えば、側壁１７１の前面上（ただし、光透過拡散部材１２３よりも裏面側）に設けられてもよい。また、例えば、光源部１４０が発光パネル１１０の後方に設けられる場合は、枠体１２１ａの背面（発光パネル１１０に近い方の面）、枠体１２１ａと発光パネル１１０の間又は発光パネル１１０の背面上にマスク１２２を設けることも可能である。
【０１１５】
上記の例では、マスク１２２を暗部領域１３２又は暗部領域１３２に対応する領域にのみ設ける例を示したが、例えば、面内で光透過率が異なるマスク１２２ａを利用して明部領域１３１又は明部領域１３１に対応する領域を含む領域（例えば、面全域）に設けてもよい。その場合において、例えば、照明装置５ａは、明部領域１３１（又は明部領域１３１に対応する領域）の光透過率に比べて暗部領域１３２（又は暗部領域１３２に対応する領域）に対応する領域の光透過率が低くなるように構成されたマスク１２２ａを備えてもよい。なお、そのような場合であっても、マスク１２２ａにより少なくとも暗部領域１３２又は暗部領域１３２に対応する領域に光を遮蔽する機能を有する部材が配されているとして、該マスク１２２ａ（特に、暗部領域１３２又は暗部領域１３２に対応する領域に配されている部分）を第１の光制限部材と呼ぶ。
【０１１６】
なお、本例の場合も、光源部１４０の代わりに、パネル用光源１１０ａを利用することができる。その場合、例えば、発光パネル１１０の光出射面１１１のうち開口部１７０が前方に設けられていない領域から発せられる照明光Ｌ１を、光源部１４０からの光として利用してもよい。その場合、収納部１７２は省略されてもよい。その場合において、マスク１２２は、側壁１７１の前面上であって光透過拡散部材１２３と枠体１２１ａとの間に設けられてもよいし、枠体１２１ａの背面（発光パネル１１０に近い方の面）、枠体１２１ａと発光パネル１１０の間に設けられてもよい。
【０１１７】
このような構成により、開口部１７０の側壁１７１の裏側（枠体１２１ａの背面を含む）から入射された光を側壁１７１で透過させて光Ｌ２として出射する際に、側壁１７１上において暗部領域１３２から空間１１２に向かう光の強度を、明部領域１３１から空間１１２に向かう光の強度に比べて減じることができる。
【０１１８】
枠体１２１ａにおいても、日差し表現部１３０が形成される領域の厚みＴ（本例では、枠体１２１ａにおける開口部１７０の側壁１７１とその裏側とされる面との距離）を前記光出射面から離れるに従って増すように構成することができ、そのような枠体１２１における該領域の厚みの違いを利用して、ぼやけを表現することができる。
【０１１９】
また、フレーム状部材５２０ａは、光源部１４０からの光に代えて、発光パネル１１０の光出射面１１１のうち開口部１７０が前方に設けられている領域から発せられる照明光Ｌ１又はフレーム状部材５２０ａの前方から入射する外光などを利用することも可能である。その場合、反射型のフレーム状部材５２０ｂとして、枠体１２１ａを光反射部材１２４で構成するか、光透過拡散部材１２３と枠体１２１ａとの間に光反射部材１２４（図示せず）を設けてもよい。ここで、光反射部材１２４は、光反射拡散部材であってもよい。その場合、マスク１２２は、光透過拡散部材１２３と光反射部材１２４との間の暗部領域１３２に対応する領域に設けられ、光反射部材１２４からの反射光を吸収する、光吸収性のマスク１２２ｂであってもよい。ここで、マスク１２２ｂは、上述した第２の光制限部材に相当する。
【０１２０】
なお、マスク１２２ｂの代わりに、面内で光反射率が異なる（換言すると、面内で光透過率が異なる）光反射部材１２４ａを用いることも可能である。以下では、マスク１２２ｂの代わりに設けられる光反射部材１２４ａを、マスク１２２ｄと呼ぶ場合がある。例えば、照明装置５ｂは、マスク１２２ｂ及び光反射部材１２４に代えて、明部領域１３１（又は明部領域１３１に対応する領域）の光反射率に比べて暗部領域１３２（又は暗部領域１３２に対応する領域）の光反射率が低くなるように構成されたマスク１２２ｄを備えることで、同様の効果を得ることができる。なお、そのような場合であっても、マスク１２２ｄにより少なくとも暗部領域１３２又は暗部領域１３２に対応する領域に光を遮蔽する機能を有する部材が配されているとして、該マスク１２２ｄ（特に、暗部領域１３２又は暗部領域１３２に対応する領域に配されている部分）を第２の光制限部材と呼ぶ。
【０１２１】
本例において光反射部材は、例えば光透過率が５０％未満の部材である。なお、光反射部材は、光反射率が１０％以下の部材であってもよい。ただし、上記の光反射部材１２４ａのように、あえて光反射率を面内で異ならせる場合はこの限りではない。その場合において、上記の光反射率を、明部領域１３１又は明部領域１３１に対応する領域での光反射率と読み替えてもよい。
【０１２２】
このような構成により、反射型のフレーム状部材５２０ｂでは、開口部１７０の側壁１７１で囲まれた領域から出射された照明光Ｌ１又は前方から入射される外光を側壁１７１で反射して光Ｌ２として出射することができ、その際、側壁１７１上において暗部領域１３２から空間１１２に向かう光の強度を明部領域１３１から空間１１２に向かう光の強度に比べて減じることができる。以下、反射型のフレーム状部材５２０ｂを備える照明装置５ａを照明装置５ｂと呼ぶ場合がある。
【０１２３】
なお、開口部１７０を備える枠体１２１ａの代わりに、複数の板状の枠体１２１を間隔をあけて発光パネル１１０の前方に並べて配置してもよい。その場合、複数の枠体１２１の側面に挟まれた領域が開口部１７０の代わりとなる。例えば、日差し表現部１３０は、そのような板状の枠体１２１の側面又は前面に設けられてもよい。フレーム状部材５２０ａ、５２０ｂは、例えば、発光パネル１１０の前方に、細長い板状（例えば、発光パネル１１０の一辺の長さと略同等の長さを有する板状）の枠体を複数、隙間をあけて平行に並べることで、全体としてルーバーのような形状をなすものであってもよい。そのような複数の枠体１２１により構成される、発光パネル１１０前方の開口の内壁（複数のフレーム状部材の各々の前面）を、上記で示したような開口部１７０の側壁１７１とみなして、同様の構成としてもよい。
【０１２４】
以上に説明したように、実施の形態５に係る照明装置５、５ａ、５ｂを用いれば、実施の形態１〜４の効果に加えて、様々な形状で日差し表現部１３０を形成できるので、自然な造景を観察者に与えつつ、照明装置としてのデザイン性を高めることができる。
【０１２５】
《６》実施の形態６．
図２２は、実施の形態６に係る照明装置６の構成例を概略的に示す要部断面図である。図２２は、図２０の構成例に対応する構成を示している。実施の形態６に係る照明装置６は、フレーム状部材６２０を備えている。なお、フレーム状部材６２０の構成は、基本的に上記の実施の形態５と同じでよい。図２２に示す例では、フレーム状部材６２０は、フレーム状部材５２０と同様、フランジ部２３０を有している。
【０１２６】
なお、フランジ部２３０は、省略されてもよい。また、フレーム状部材６２０は、フランジ部２３０に代えてフランジ面２３３を有してもよい。
【０１２７】
実施の形態６においては、照明装置６が消灯状態、すなわち、発光パネル１１０及び光源部１４０が非発光状態のときにも、ある程度、発光パネル１１０に対して窓枠を模することができる構成を提案する。非発光状態で自然に見える構成とは、より具体的には、非発光状態で外光が入射する状況において、フレーム状部材６２０の明部領域１３１の輝度が暗部領域１３２の輝度に比べて同等若しくは大きく、かつ日差し表現部１３０が形成されない部位（例えば、フランジ部２３０又はフランジ面２３３）を有する場合には、該部位の前面の輝度が明部領域１３１と同等以上となる構成である。これは、明部領域１３１と暗部領域１３２の輝度の関係が、非発光状態であっても反転しないこと、及び、日差し表現部１３０が形成されない部位を有する場合にはその前面（図２２に示す例では、光拡散部材２３２）が視認できる状況を意味する。
【０１２８】
非発光状態では、外光が照明装置６に当たる。ここで、明部領域１３１に着目すると、フレーム状部材６２０の前面のうち明部領域１３１に入射した外光の一部は、光透過拡散部材１２３を透過し、光反射拡散部材１５０で反射されて、再び光透過拡散部材１２３を透過して明部領域１３１から出射される。なお、図２２に示す例のように、さらに光透過拡散部材１６０を備える場合は、入射外光は、光透過拡散部材１２３から光反射拡散部材１５０で反射される前と後にそれぞれ光透過拡散部材１６０を透過した上で、再び光透過拡散部材１２３を透過する。
【０１２９】
以下では、このようなフレーム状部材６２０の前面から入射して再び前面から出射される光を反射外光ＲＬと呼び、そのうち明部領域１３１から出射される光を反射外光ＲＬ１、暗部領域１３２から出射される光を反射外光ＲＬ２、フランジ部２３０又はフランジ面２３３などの日差し表現部１３０以外の領域から出射される光を反射外光ＲＬ３と呼ぶ。
【０１３０】
明部領域１３１における入射外光に対する反射外光ＲＬ１の比率を光反射率Ｒ１とすると、光反射率Ｒ１は、例えば、５０％以上である。光反射率Ｒ１は、例えば、既知の光量の光を明部領域１３１に照射して戻ってきた光を光量計等で測定して得てもよい。
【０１３１】
次に、暗部領域に注目する。フレーム状部材６２０の前面のうち暗部領域１３２に入射した外光は、光透過拡散部材１２３を透過し、マスク１２２でその一部が反射されて、再び光透過拡散部材１２３を透過して暗部領域１３２から出射される。なお、暗部領域１３２においても、光透過拡散部材１６０を備える場合は、入射外光は、光透過拡散部材１２３から光反射拡散部材１５０で反射される前と後にそれぞれ光透過拡散部材１６０を透過した上で、再び光透過拡散部材１２３を透過する。
【０１３２】
暗部領域１３２における入射外光に対する反射外光ＲＬ２の比率を光反射率Ｒ２とすると、光反射率Ｒ２は、例えば、１％以上かつ５０％未満である。光反射率Ｒ２は、例えば、既知の光量の光を暗部領域１３２に照射して戻ってきた光を光量計等で測定することによって得てもよい。
【０１３３】
このように、明部領域１３１の光反射率Ｒ１を暗部領域１３２の光反射率Ｒ２よりも高くなるように、光透過拡散部材１２３、光反射拡散部材１５０、光透過拡散部材１６０、マスク１２２等を構成することで、外光に対しても明部領域１３１の発光量を暗部領域１３２に比べて大きくできる。
【０１３４】
なお、非発光状態で外光が入射する状況において、明部領域１３１から出射される光には、明部領域１３１に配される枠体１２１の前面及び光透過拡散部材１２３で反射される光、及び暗部領域１３２から入射して光透過拡散部材１２３及びマスク１２２を透過し、光反射拡散部材１５０で反射（さらに拡散）されて明部領域１３１から出射される光が含まれうる。同様に、暗部領域１３２から出射される光には、暗部領域１３２に配される枠体１２１の前面及び光透過拡散部材１２３で反射される光、及び明部領域１３１から入射して光透過拡散部材１２３及びマスク１２２を透過し、光反射拡散部材１５０で反射（さらに拡散）されて暗部領域１３２から出射される光が含まれうる。ただし、それらによる光量の増減は明部領域１３１と暗部領域１３２の両方で起こりうるため、影響を無視してもよい。
【０１３５】
次に、フレーム状部材６２０の前面で日差し表現部１３０が形成されない領域（例えば、フランジ部２３０又はフランジ面２３３等）に注目する。フレーム状部材６２０がこのような領域を含む場合は、さらに以下を考慮してフレーム状部材６２０を構成することが好ましい。該領域の前面又は該前面上に配される光拡散部材２３２に外光が入射した場合、外光は、該領域を構成する枠体（板状部２３１又は枠体１２１ａ）の前面又は光拡散部材２３２の表面若しくはその両方で反射されて、再び該領域から出射される。
【０１３６】
ここで、フレーム状部材６２０の日差し表現部１３０が形成されない領域における入射外光に対する反射外光ＲＬ３の比率を光反射率Ｒ３とすると、光反射率Ｒ３は、例えば、５０％以上である。より具体的に、光反射率Ｒ３は、光反射率Ｒ１と同等以上が好ましい。光反射率Ｒ３は、例えば、既知の光量の光を日差し表現部１３０が形成されない領域の表側に照射して戻ってきた光を光量計等で測定して得てもよい。
【０１３７】
このように、フランジ部２３０及びフランジ面２３３といった日差し表現部１３０が形成されない領域の光反射率Ｒ３を明部領域１３１の光反射率Ｒ１と同様又はそれよりも高くなるように、光透過拡散部材１２３、光反射拡散部材１５０、光透過拡散部材１６０、枠体１２１、光拡散部材２３２、板状部２３１等を構成することで、外光に対しても日差し表現部１３０が形成されない領域の発光量を明部領域１３１と同等又はそれよりも大きくできる。
【０１３８】
以上に説明したように、照明装置６を用いれば、実施の形態１〜５の効果に加えて、簡単な構成で非発光状態においても、窓と窓枠が存在していると感じることができる。
【０１３９】
《７》実施の形態７．
図２３は、本発明の実施の形態７に係る照明装置７の構成例を概略的に示す断面図である。照明装置７は、フレーム状部材７２０の特に日差し表現部１３０が形成される部位が光出射面１１１の法線に対して傾斜するように構成されている。
より具体的には、本例のフレーム状部材７２０（より具体的には、枠体１２１）は、前方に進むほど外側に向かう部位を含む。フレーム状部材７２０がこのような部位を含むことで、観察者の視野に入る日差し表現部１３０の面積を増大できる。
【０１４０】
本例では、枠体１２１は、枠体１２１によって形成される開口部１７０の開口サイズ（ＸＹ断面での開口領域）が光出射面１１１から離れるにしたがって大きくなるようなテーパー形状となっている。
【０１４１】
また、本例のフレーム状部材７２０は、枠体１２１の光出射面１１１から最も離れた端部から外側に向けて広がるフランジ部２３０を有している。本例では、枠体１２１がフランジ部２３０の板状部２３１を兼ねている。すなわち、これらは一体に成型されている。
【０１４２】
フランジ部２３０を含む枠体１２１の前面には、日差し表現部１３０（明部領域１３１又は暗部領域１３２若しくはその両方）が設けられている。本例では、枠体１２１の傾斜部分の前面だけでなく、フランジ部２３０の前面にも日差し表現部１３０を形成することでさらに観察者の視野に入る日差し表現部１３０の面積を増大させているが、必ずしもフランジ部２３０に日差し表現部１３０を設けなくてもよい。
【０１４３】
図２３に示される例では、紙面右側のフレーム状部材７２０の枠体１２１の背面上にマスク１２２が配置されている。図２３に示す例は、紙面右側のフレーム状部材７２０の表側のすべての領域が暗部領域１３２であり、紙面左側のフレーム状部材７２０の表側のすべての領域が明部領域１３１の例である。
【０１４４】
また、紙面右側のフレーム状部材７２０の枠体１２１の前面上及びフランジ部２３０の前面上には光透過拡散部材１２３が配されている。同様に、紙面左側のフレーム状部材７２０の枠体１２１の前面上及びフランジ部２３０の前面上には光透過拡散部材１２３が配されている。なお、本例の光透過拡散部材１２３の一部（より具体的には、フランジ部２３０の前面上に配される部分）は、光拡散部材２３２としての光透過拡散部材を兼ねている。なお、マスク１２２は、枠体１２１の前面上に、枠体１２１と光透過拡散部材１２３との間に配置されてもよい。
【０１４５】
このような構成において、光源部１４０からの光が紙面右側のフレーム状部材７２０の枠体１２１の裏側に入射すると、該光はマスク１２２により減じられた上で、枠体１２１及び光透過拡散部材１２３を透過し、暗部領域１３２から空間１１２に向かう光として出射される。一方、光源部１４０からの光が紙面左側のフレーム状部材７２０の枠体１２１の裏側に入射すると、該光はマスク１２２により減じられずに枠体１２１及び光透過拡散部材１２３を透過し、明部領域１３１から空間１１２に向かう光として出射される。
【０１４６】
上記の点以外に関しては、図２３に示される照明装置７は、実施の形態１から６のいずれかの照明装置と同じでよい。
【０１４７】
なお、図２３に示す例では、照明装置７が光分岐部１８０を備え、光分岐部１８０で光源部１４０ａから出射される光をフレーム状部材７２０に向かう光と発光パネル１１０に向かう光とに分岐することで、光源部１４０ａがパネル用光源１１０ａを兼ねる例を示しているが、光源部１４０ａとパネル用光源１１０ａとを別々に設けることも可能である。また、このような光分岐部１８０を備える構成は、実施の形態７の例に限定されない。実施の形態７においても、これまで別の実施の形態で説明した光分岐部１８０を備えない構成であっても良い。さらには、図２３のフレーム状部材２３０がテーパー形状となっている構成において、その他の発光パネル、光源等は別の実施の形態で説明した構成で良い。
【０１４８】
また、フランジ部２３０の形状は、図示のものに限定されない。例えば、フランジ部２３０は、複数の部材で構成されてもよい。また、照明装置７は、フランジ部２３０を着脱自在にする構造又はフランジ部２３０を備えない構造を採用してもよい。また、フレーム状部材７２０が、水平部分（フランジ面２３３）を備え、フランジ面２３３が明部領域と暗部領域とを有するように構成してもよい。または、フランジ面２３３は不透明な部材であってもよい。また、フレーム状部材７２０の断面形状が曲線形状（すなわち、フレーム状部材７２０が湾曲面形状）であってもよい。湾曲面形状のフレーム状部材により、図２３に示されるフレーム状部材７２０とフランジ部２３０とを兼ねることができる。
【０１４９】
以上に説明したように、実施の形態７に係る照明装置７を用いれば、実施の形態１〜６の効果に加えて、観察者の視界に入る日差し表現部１３０の面積が増大するので、日なた領域を模する明部領域と日陰領域を模する暗部領域とが視認しやすくなる。
【０１５０】
さらに、照明装置７を用いれば、日差し表現部１３０の面積の増加に伴い増加する明部領域１３１からより多くの光を出射することができる。
【０１５１】
図２４は、実施の形態７の変形例に係る照明装置７ａの構成例を概略的に示す要部断面図である。図２４において、図２３に示される構成要素と同一又は対応する構成要素には、図２３に示される符号と同じ符号が付される。照明装置７ａは、光源部１４０と、前方に進むほど外側に向かう部位を含むフレーム状部材７２０との間に、光源部１４０から出射された光を導光する導光部７４０を備える点が、図２３に示される照明装置７と大きく異なる。なお、図２４に示す照明装置７ａは、フレーム状部材７２０のフランジ部２３０が日差し表現部１３０及び光拡散部材２３２を有しない点も図２３に示される照明装置７と異なる。ただし、図２４に示す例においてもこれらを有していてもよい。
【０１５２】
照明装置７ａにおいて、導光部７４０の一方の端部（図中の例では、−Ｘ方向の端部）はフレーム状部材７２０の背面の発光パネル１１０側の端部と近接するよう配置されている。そして、導光部７４０の他方の端部（図中の例では、＋Ｘ方向の端部）に対向する位置には光源部１４０が配置されている。導光部７４０のフレーム状部材７２０側の端部とフレーム状部材７２０との間は、透明な接着剤などで固定されてもよいし、又は、空気界面を有してもよい。
【０１５３】
導光部７４０は、例えば、フレーム状部材７２０の裏側に配置される光源部１４０に対応して設けられる。例えば、導光部７４０は、背面視において、フレーム状部材７２０の背面の日差し表現部１３０に対応する領域を覆うように設けられてもよい。なお、図２４に示す例は、明部領域１３１に対応する領域のみを示しているが、暗部領域１３２又は暗部領域１３２に対応する領域においては、導光部７４０の一方の端部が、マスク１２２を含むフレーム状部材７２０の背面の発光パネル１１０側の端部と近接するように配置される。
【０１５４】
本例では、導光部７４０は、フレーム状部材７２０の形状に沿って、かつ発光パネル１１０の端部側に光入射端、発光パネル１１０の中心側に光出射端が位置するように配置される。ただし、導光部７４０は、光源部１４０に近い部位ほどフレーム状部材７２０との距離が遠く、かつ光源部１４０に遠い部位ほどフレーム状部材７２０との距離が近くなるように、フレーム状部材７２０に対して傾斜するように配置される。
【０１５５】
本例の導光部７４０は、入射された光（本例では光源部１４０からの光）の一部を拡散させる光反射拡散部材７５０を備えている。光反射拡散部材７５０は、光を反射及び拡散させる材料を含む印刷材料の印刷、導光部７４０を構成する部材に対する表面加工（例えば、光を乱反射させる粗面を形成する加工）、又は光を反射及び拡散させる材料を含むフィルムの貼着、などにより形成される。光反射拡散部材７５０は、導光部７４０内における発光パネル１１０側に配置されており、導光部７４０内を進む光を反射及び拡散させる。
【０１５６】
図２４において、導光部７４０は、光源部１４０から光が入射されると、該光を対向端部に向かう光、より具体的にはフレーム状部材７２０の発光パネル１１０側端部に向かう光（図中の例では、−Ｘ方向に進む光）として導光して、該対向端部から出射する。また、導光部７４０は、対向端部に向かって導光する光の一部を光反射拡散部材７５０で反射及び拡散させて、＋Ｚ方向に進む光にして出射する。このように、導光部７４０内を進む光の一部は、発光パネル１１０の端部側より中心に向かってほぼ−Ｘ方向に進んでフレーム状部材７２０に入射する。また、導光部７４０内を進む光の他の一部は、光反射拡散部材７５０で反射及び拡散された結果、導光部７４０の壁面（より具体的には、フレーム状部材７２０側の壁面）を透過して前方である＋Ｚ方向に進み、導光部７４０の前方に位置するフレーム状部材７２０の裏側に入射する。
【０１５７】
このようにしてフレーム状部材７２０に到達した光は、他の透過型のフレーム状部材に入射した光と同様に、マスク１２２があればそこで一部の光が反射された後、光透過拡散部材１２３で拡散されて、光Ｌ２として出射される。
【０１５８】
導光部７４０内を進む光の一部は光反射拡散部材７５０によってフレーム状部材７２０側の壁面から取り出されるため、導光部７４０内を導光する光の強度は導光部７４０内を進むほど弱くなる。図２４では、光源部１４０から出射されて導光部７４０に入射された光は、図２４における導光部７４０の左端に位置する光入射端から導光方向である−Ｘ方向に進むほど、光強度が低下する。これに伴い、導光部７４０内において導光光から生じる拡散光Ｌ３（＋Ｚ軸方向に出射される光）の光強度も、光入射端から導光方向に進むほど低下する。
【０１５９】
その一方で、導光部７４０から＋Ｚ方向に出射されてフレーム状部材７２０の背面に到達するときの拡散光Ｌ３の光強度は、導光部７４０とフレーム状部材７２０との距離Ｄに依存して減衰する。すなわち、導光部７４０とフレーム状部材７２０との距離Ｄが長いほど、拡散光Ｌ３の光強度は低下する。
【０１６０】
上記特性を考慮し、本例の照明装置７ａでは、光入射端から導光方向に進むに従い、フレーム状部材７２０との距離が近づくように、導光部７４０を配置している。図２４に示す例では、導光部７４０の光出射端がフレーム状部材７２０と最も近く、導光部７４０の光入射端がフレーム状部材７２０と最も遠くなっている。このような配置とすることで、導光部７４０内から出射される拡散光Ｌ３の強度は、導光部７４０内を導光端部すなわち発光パネル１１０の中心側に向かって進むに従って弱くなるが、導光端部に向かって進むに従って該拡散光Ｌ３がフレーム状部材７２０に到達するまでの減衰量を小さくできる。この結果、フレーム状部材７２０のＸ方向の位置によらず、フレーム状部材７２０の背面に到達する拡散光Ｌ３の強度分布のばらつきは小さくなり、フレーム状部材７２０の光透過拡散部材１２３側で形成される明部領域における輝度のばらつきは小さくなる。
【０１６１】
例えば、導光部７４０内における導光光の進行距離に対する減衰量と導光部７４０から出射される拡散光Ｌ３の進行距離に対する減衰量とが相殺されるように、フレーム状部材７２０の日差し表現部１３０が形成される面と導光部７４０の導光方向とのなす角度又は、導光部７４０内における拡散光Ｌ３の発生確率（又は導光光の進行距離に対する減衰量）を調整してもよい。
【０１６２】
以上に説明したように、照明装置７ａを用いれば、明部領域における輝度のばらつきを小さくできる。
【０１６３】
《８》実施の形態８．
図２５は、実施の形態８に係る照明装置８の構成例を概略的に示す要部分解斜視図である。図２６は、照明装置８の構成例を概略的に示す要部斜視図である。図２７は、図２６に示す構成例をフレーム状部材の裏側から見た背面図である。実施の形態８におけるフレーム状部材８２０は、実施の形態１から７におけるフレーム状部材のいずれかと同じ構造を持つ。ただし、照明装置８は、実施の形態１から７におけるマスク（より具体的には、マスク１２２、１２２ａ等）を備えなくてもよい。
【０１６４】
照明装置８は、マスクを備えない点及び上記の光反射拡散部材１５０の構造の点が、上記実施の形態１から７の照明装置と異なる。より具体的に、照明装置８では、光反射拡散部材１５０が第１の光制限部材の機能を具備している。つまり、照明装置８の光反射拡散部材１５０は、フレーム状部材１２０の明部領域１３１に向き合う領域にのみ配置されるとともに、フレーム状部材１２０の暗部領域１３２に向き合う領域（図中の符号１５２）に光源部１４０からの光が到達しないようにまたは到達する量を減じるように構成されている。したがって、照明装置８では、暗部領域１３２が設けられるフレーム状部材１２０の前面及び背面上にはマスクを備えない。
【０１６５】
照明装置８では、マスクに代わり、フレーム状部材１２０の裏側の明部領域１３１に対応する領域と暗部領域１３２に対応する領域との境界部に、光反射拡散部材１５０の側面１５１を設ける。本例では、この側面１５１が、第１の光制限部材に相当する。以下では、このようなフレーム状部材１２０の裏側の明部領域１３１に対応する領域と暗部領域１３２に対応する領域との境界部に設けられ、光を遮る機能を有する面を遮壁１５１という場合がある。
【０１６６】
なお、本例においても、光反射拡散部材１５０に代えて、拡散性を有しない光反射部材１５０ａを有していてもよいが、その場合においても光反射部材１５０ａは、フレーム状部材１２０の明部領域１３１に向き合う領域にのみ配置されるものとする。換言すると、光反射部材１５０ａが、明部領域１３１に向き合う領域と暗部領域１３２に向き合う領域との境界部に設けられる遮壁１５１を有するものとする。
【０１６７】
なお、このような遮壁１５１も、広義の意味では、「光源部１４０から出射された光がフレーム状部材１２０の背面に入射してフレーム状部材１２０の前面から空間１１２に向かう光として出射されるまでの光路上」において「暗部領域１３２に対応する領域」に設けられている光学部材であるといえる。
【０１６８】
また、光反射拡散部材１５０は、遮壁１５１（側面１５１）を、発光パネル１１０の光出射面１１１から離れるに従って、光反射拡散部材１５０とフレーム状部材１２０との間の間隙が徐々に増加する構成としてもよい。そのようにして、光源部１４０から出射された光の一部を漏らすようにしてもよい。この構成によれば、図１５（Ａ）に示される境界部のぼやけと同様のぼやけを形成することができる。
【０１６９】
以上に説明したように、実施の形態８に係る照明装置８を用いれば、暗部領域１３２が設けられるフレーム状部材の面上にマスク（例えば、マスク１２２又はマスク１２２ａ）を設けなくても実施の形態１〜７と同様の効果を得ることができる。ただし、照明装置８は、実施の形態１から７におけるマスクと同様のマスクをさらに備えることも可能である。
【０１７０】
《９》変形例．
上記実施の形態１から８の照明装置において、発光パネルは、光をサイドから入光させるサイド入光パネルであってもよい。その場合において、発光パネルの端部上、又は該端部と面する空間にフレーム形成部１２を設けてもよい。
【０１７１】
図２８から図３０は、実施の形態の変形例に係る照明装置の構成例を概略的に示す概略断面図である。図２８から図３０に示されるように、発光パネル１１０と、フレーム形成部１２との位置関係は、上記の例に限定されない。これらの例では、観察者は、発光パネル１１０を通して、フレーム形成部１２を見る。このとき、観察者は、例えば、フレーム形成部１２のうち、光制限部材が形成されている領域（又は光取出部材が形成されていない領域）を暗部領域１３２と認識する。また、観察者は、例えば、フレーム形成部１２のうち、光取出部材が形成されている領域（又は光制限部材が形成されていない領域）を明部領域１３１と認識する。
【０１７２】
例えば、図２８に示す照明装置の例において、フレーム形成部１２は、発光パネル１１０の側方、より具体的に発光パネル１１０の端面と面する空間に配されるフレーム状部材１２０によって実現されている。図２８に示すフレーム状部材１２０は、枠体１２１の裏側（本例では空間１１２を向く側と反対側）に光反射部材１２４を備えることで、反射型のフレーム状部材を実現している。本例の照明装置において、例えば、光吸収性のマスク１２２ｂが、フレーム状部材１２０の前面よりに設けられる光透過拡散部材１２３と光反射部材１２４との間の、暗部領域１３２又は暗部領域１３２に対応する領域に設けられる。
【０１７３】
本例においても、光透過拡散部材１２３は省略可能である。その場合、マスク１２２ｂは、フレーム状部材１２０の枠体１２１の背面上など、枠体１２１と光反射部材１２４との間の、暗部領域１３２又は暗部領域１３２に対応する領域に設けられればよい。
【０１７４】
ここで、マスク１２２ｂは、フレーム状部材１２０の表側から入射されるパネル用光源１１０ａからの光は透過しつつ、該光が光反射部材１２４で反射されて戻ってくる戻り光を遮蔽（吸収）する機能を持たせるために例えば偏光マスクであってもよい。
【０１７５】
図２８に示される例では、紙面右側のフレーム状部材１２０の枠体１２１の背面上にマスク１２２ｂが配置されている。図２８に示す例は、紙面右側のフレーム状部材１２０の表側のすべての領域が暗部領域１３２であり、紙面左側のフレーム状部材１２０の表側のすべての領域が明部領域１３１の例である。
【０１７６】
なお、面内で光反射率が異なるマスク１２２ｄを用いることで、マスク１２２ｂ及び光反射部材１２４を省略してもよい。
【０１７７】
また、図２８に示す例では、光源部１４０の代わりに、パネル用光源１１０ａを利用して日差し表現部１３０を発光させている。より具体的に、フレーム状部材１２０が設けられる発光パネル１１０の端部（設置端部）に対向する端部（対向端部）に設けられているパネル用光源１１０ａから発せられ、発光パネル１１０を通ったのち導光端となる端部から出射される光を、光源部１４０からの光の代わりに用いている。
【０１７８】
例えば、図２８において発光パネル１１０に対して紙面右側に設けられるフレーム状部材１２０に対しては、発光パネル１１０に対して紙面左側に設けられるパネル用光源１１０ａから発せられて、発光パネル１１０内を導光して、発光パネル１１０の紙面右側の端部から出射した光が入射する。そのようにしてフレーム状部材１２０の表側に入射した該光は、光透過拡散部材１２３、枠体１２１及びマスク１２２ｂを透過した後、光反射部材１２４で反射される。光反射部材１２４で反射された該光は、マスク１２２ｂが存在する領域であればマスク１２２ｂで減じられた後、枠体１２１及び光透過拡散部材１２３を透過して空間１１２に向かう光として出射される。
【０１７９】
また、例えば、図２８において発光パネル１１０に対して紙面左側に設けられるフレーム状部材１２０に対しては、発光パネル１１０に対して紙面右側に設けられるパネル用光源１１０ａから発せられて、発光パネル１１０内を導光して、発光パネル１１０の紙面左側の端部から出射した光が入射する。そのようにしてフレーム状部材１２０の表側に入射した該光は、光透過拡散部材１２３及び枠体１２１を透過した後、光反射部材１２４で反射される。光反射部材１２４で反射された該光は、マスク１２２ｂが存在する領域であればマスク１２２ｂで減じられた後、枠体１２１及び光透過拡散部材１２３を透過して空間１１２に向かう光として出射される。
【０１８０】
なお、図２８に示す例では、発光パネル１１０の端部から出射される光を利用するために、発光パネル１１０の側方にフレーム状部材１２０を設けているが、例えば、発光パネル１１０が背面から光を出射する構成の場合等には、発光パネル１１０の後方（より具体的には、後方の端部寄りの位置）に、発光パネル１１０の背面から出射される光を入射して前方に反射するよう構成されたフレーム状部材１２０を設けることも可能である。
【０１８１】
また、図２９に示す照明装置の例では、フレーム形成部１２として別体の枠体を設けずに、発光パネル１１０の端部を構成する側面を利用して日差しを表現している。すなわち、図２９に示す照明装置において、フレーム形成部１２は、発光パネル１１０の端部を構成する側面（具体的には、背面側に入り込むように傾斜している側面）上に設けられる。
【０１８２】
本例では、発光パネル１１０が、端部に光出射面１１１に対して傾斜している傾斜面を有し、その傾斜面上に明部領域１３１及び暗部領域１３２を設けている。図２９に示す例において、該傾斜面上の領域のうち暗部領域１３２が設けられる領域には、パネル用光源１１０ａから発光パネル１１０に向かう光を透過（反射防止）し、光源部１４０からの光を遮蔽（例えば、吸収又は反射等）するマスク１２２ｃが設けられている。
【０１８３】
また、該傾斜面上の領域のうち明部領域１３１が設けられる領域には、パネル用光源１１０ａから発光パネル１１０に向かう光及び光源部１４０からの光を透過（反射防止）する反射防止部材１２５（例えば、反射防止膜）が設けられてもよい。
【０１８４】
なお、マスク１２２ｃを設けなくても、光源部１４０からの光が該傾斜面で反射される場合は、マスク１２２ｃは省略されてもよい。また、反射防止部材１２５を設けなくても光源部１４０からの光が該傾斜面で反射されずに発光パネル１１０を透過する場合は、反射防止部材１２５は省略されてもよい。
【０１８５】
図２９に示す例において、マスク１２２ｃが光制限部材（より具体的には、第１の光制限部材）に相当する。また、反射防止部材１２５が光取出部材に相当する。以下では、図２９に示すように、透過型のフレーム形成部１２に対して設けられる光取出部材を第１の光取出部材と呼ぶ場合がある。
【０１８６】
例えば、本例のマスク１２２ｃは、発光パネル１１０の端部に設けられるフレーム形成部１２が有する暗部領域１３２又は暗部領域１３２に対応する領域において光源部１４０からの光（ここでは発光パネル１１０の後方から発光パネル１１０の側面の裏側に入射される光源部１４０からの光）の少なくとも一部の光を吸収又は反射することで当該部材がない場合と比べて暗部領域１３２から空間１１２に向かう光の量を減少させている。これにより、暗部領域１３２から空間１１２に向かう光の強度を明部領域１３１から空間１１２に向かう光の強度より弱めることができる。
【０１８７】
また、例えば、本例の反射防止部材１２５は、発光パネル１１０の端部に設けられるフレーム形成部１２が有する明部領域１３１又は明部領域１３１に対応する領域において光源部１４０からの光（ここでは発光パネル１１０の後方から発光パネル１１０の側面の裏側に入射される光源部１４０からの光）の少なくとも一部の光を透過させやすくする（より具体的には反射を防止する）ことで当該部材がない場合と比べて明部領域１３１から空間１１２に向かう光の量を増加させている。これにより、明部領域１３１から空間１１２に向かう光の強度を暗部領域１３２から空間１１２に向かう光の強度よりも強めることができる。
【０１８８】
このような構成において、観察者は、発光パネル１１０の光出射面１１１越しに、側面である傾斜面上の明部領域１３１及び暗部領域１３２を認識する。
【０１８９】
なお、図２９に示す例では、発光パネル１１０が粒子等を含むなど拡散パネルであることを想定している。その場合、光源部１４０からの光が発光パネル１１０の該傾斜面から発光パネル１１０に入射して発光パネル１１０内を通過した後に光出射面１１１から出射されるように構成することで、光Ｌ２を拡散させることができる。この場合、発光パネル１１０に含まれている粒子等が光透過拡散部材１２３に相当する。
【０１９０】
また、他の方法として、光源部１４０からの光が出射する発光パネル１１０の光出射面１１１の一部領域（側面に接する領域）を粗面にするなどの表面加工を行って、光Ｌ２を拡散させることも可能である。この場合、光出射面１１１に形成された、拡散性を発現させる表面加工部が光透過拡散部材１２３に相当する。
【０１９１】
図２９に示す例では、発光パネル１１０の端部のうち側面にフレーム形成部１２を設けたが、フレーム形成部１２は、発光パネル１１０の背面又は前面の一部領域（例えば、側面に接する領域）に設けることも可能である。
【０１９２】
また、図２９に示す例では、フレーム形成部１２が設けられる端部が、パネル用光源１１０ａからの光を発光パネル１１０に入射する入射面を兼ねている例を示したが、該端部がパネル用光源１１０ａからの光に対する入射面を兼ねていない場合には、マスク１２２ｃを、上述したような偏光依存性のないマスク１２２としてもよい。
【０１９３】
また、透過型のフレーム状部材を備える場合において、フレーム状部材がパネル用光源１１０ａからの光が入射されるような位置に配置される場合には、フレーム状部材の面上の構成を、上記発光パネル１１０の側面上の構成と同様にしてもよい。例えば、フレーム状部材の暗部領域１３２又は暗部領域１３２に対応する領域にマスク１２２ｃを設け、フレーム状部材の明部領域１３１又は明部領域１３１に対応する領域に反射防止部材１２５を設けてもよい。図２９では、光源部１４０を備えているが、よりシンプルにパネル用光源１１０ａが光源部１４０を兼ねても良い。さらに、図の両側に光源を配置せずとも、片側だけに配置する構成であっても良い。その場合はパネル用光源１１０ａが配置される側の発光パネル１１０の端部は傾斜している必要がない。また、パネル用光源１１０ａが配置される側の発光パネル１１０の端部と対向する端部（対向端部）がパネル用光源１１０ａからの光に対する入射面を兼ねないため、該対向端部に配されるマスク１２２ｃは偏光依存性のないマスク１２２であってよい。
【０１９４】
また、例えば、図３０に示すように、光源部１４０を省略して、パネル用光源１１０ａからの光を利用して発光するようにフレーム形成部１２を構成することも可能である。図３０に示す例では、フレーム形成部１２は、発光パネル１１０の端部を構成する背面上に形成されている。そして、発光パネル１１０の背面上の領域のうち明部領域１３１とされる領域には、パネル用光源１１０ａからの光であって発光パネル１１０内を導光した光を光出射面１１１から取り出すための光偏向部材１２６が設けられる。
【０１９５】
ここで、光偏向部材１２６は、発光パネル１１０の背面において、発光パネル１１０内を伝搬する光を偏向することにより光出射面１１１から出射させる偏向機能を有する光学部材である。以下では、光偏向部材１２６を第２の光偏向部材と呼ぶ場合がある。
【０１９６】
光偏向部材１２６によって偏向された光の少なくとも一部は、光出射面１１１で全反射を満たさない角度として出射される。ここで、光偏向部材１２６に入射せずに発光パネル１１０内を伝搬する光は、例えば、光出射面１１１で反射され光出射面１１１からは出射されない。
【０１９７】
光偏向部材１２６は、例えばプリズムにより実現される。その場合、発光パネル１１０の背面上の明部領域１３１を覆うように、連続的に配置されてもよい。このとき、個々のプリズムの大きさを変化させてもよい。また、光偏向部材１２６は、プリズム以外の偏向機能を有する部材で代用可能である。光偏向部材１２６は、例えば、印刷パターン又は粗面などの表面加工で代用することができる。この場合、印刷パターン又は粗面などの表面加工により、光を拡散、反射させることで、発光パネル１１０内において当該光偏向部材１２６が形成されている領域に入射した光を光出射面１１１から出射させる。このとき、印刷パターンの単位面積当たりのパターンの密度を変化させてもよい。又は光拡散機能を持つフィルムを貼り合わせても良い。
【０１９８】
また、図３０に示す例では、発光パネル１１０の背面上の領域のうち暗部領域１３２とされる領域に、パネル用光源１１０ａからの光であって発光パネル１１０内を導光した光を光出射面１１１に向かわせないための反射防止部材１２５ａが設けられてもよい。なお、上述したように、発光パネル１１０内を伝搬する光が光出射面１１１で反射されて光出射面１１１から出射されない構成の場合には、反射防止部材１２５ａは省略可能である。
【０１９９】
図３０に示すような構成によっても、観察者は、発光パネル１１０の光出射面１１１越しに、背面上の明部領域１３１及び暗部領域１３２を認識する。
【０２００】
図３０に示す例において、光偏向部材１２６が光取出部材に相当する。また、反射防止部材１２５ａが光制限部材（より具体的には、第２の光制限部材）に相当する。以下では、図３０に示すように、反射型のフレーム形成部１２に対して設けられる光取出部材を第２の光取出部材と呼ぶ場合がある。
【０２０１】
例えば、本例の光偏向部材１２６は、入射光の少なくとも一部の光を偏向（反射を含む）することで、当該部材がない場合と比べて明部領域１３１から空間１１２に向かう光の量を増加させている。
【０２０２】
また、例えば、本例の反射防止部材１２５ａは、暗部領域１３２又は暗部領域１３２に対応する領域において入射光（ここでは発光パネル１１０内を導光する光）の少なくとも一部の光を当該領域で反射させずに透過させることで当該部材がない場合と比べて暗部領域１３２から空間１１２に向かう光の量を減少させている。
【０２０３】
本例においても、フレーム形成部１２が形成される端部は背面に限定されない。例えば、フレーム形成部１２は、発光パネル１１０の側面又は前面の一部領域に設けることも可能である。
【０２０４】
なお、フレーム形成部１２が前面端部に設けられる場合、反射防止部材１２５ａに代えて、暗部領域１３２又は暗部領域１３２に対応する領域において入射光（ここでは発光パネル１１０内を導光する光）の少なくとも一部の光を反射して空間１１２に向かわない光とする第３の光偏向部材１２５ｂ（図示せず）を備えてもよい。ここで、第３の光偏向部材１２５ｂは、暗部領域１３２又は暗部領域１３２に対応する領域に設けられ、パネル用光源から出射されて前記発光パネル内を導光する光を空間１１２に向かわない角度に偏向（反射を含む）する光偏向部材であるといってもよい。なお、発光パネルの前面が、パネル用光源から入射される光を全反射によって導光する導光路の一部として機能している場合、第３の光偏向部材１２５ｂは、発光パネルの前面そのものであってもよい。第３の光偏向部材は第２の光制限部材の一例である。
【０２０５】
また、図３０に示す構成も、フレーム状部材への適用が可能である。例えば、反射型のフレーム状部材の面上の構成を、上記発光パネル１１０の背面上の構成と同様にしてもよい。例えば、フレーム状部材の暗部領域１３２又は暗部領域１３２に対応する領域に反射防止部材１２５ａを設け、フレーム状部材の明部領域１３１又は明部領域１３１に対応する領域に光偏向部材１２６を設けてもよい。
【０２０６】
上記実施の形態１から８の照明装置の構成を適宜組み合わせることが可能である。例えば、発光パネルの前方、側方、後方のいずれかに、複数のフレーム状部材を配置してもよい。また、発光パネルの端部を構成する側面、前面、背面のいずれかに、複数のフレーム形成部１２を配置してもよい。また、フレーム状部材と、発光パネル１１０の端部を利用したフレーム形成部１２とを併用することも可能である。
【０２０７】
本出願において、「平行」、「垂直」、などのような部品の位置、部品間の位置関係、又は部品の形状を示す用語が示す範囲は、製造上の公差及び組立て上のばらつきなどを考慮に入れた範囲である。このため、本出願においては、「略」を記載せずに「平行」、「垂直」、などのような部品の位置、部品間の位置関係、又は部品の形状を示す用語を用いた場合、これらの用語が示す範囲は、製造上の公差及び組立て上のばらつきなどを考慮に入れた範囲を意味する。
【０２０８】
また、以上のように本発明の実施の形態について説明したが、本発明はこれらの実施の形態に限るものではない。例えば、上記の例では、フレーム状部材又はそれに相当する発光パネルの端部に、日差し表現部１３０として明部領域１３１及び暗部領域１３２を設ける例を示したが、例えば明部領域１３１のみ又は暗部領域１３２のみ設けることも可能である。
【０２０９】
以上の各実施の形態を基にして、以下に発明の内容を付記として記載する。
【０２１０】
＜付記１＞
光出射面を有する発光パネルの端部及び前記発光パネルの周囲の少なくとも１つの位置に設けられ、明部領域（１３１）及び暗部領域（１３２）を有するフレーム形成部（１２）と、
前記フレーム形成部に入射される光を発する光源（１４０、１１０ａ）と、
前記光源から前記フレーム形成部に入射される光のうち、前記暗部領域から前記光出射面と面する空間に向かう光の強度を前記明部領域から前記空間に向かう光の強度よりも弱める、又は前記光源から前記フレーム形成部に入射される光のうち、前記明部領域から前記空間に向かう光の強度を前記暗部領域から前記空間に向かう光の強度よりも強める光量調整部（２２）と、を備える
ことを特徴とする照明装置。
【０２１１】
＜付記２＞
前記光量調整部（２２）よりも前記空間に近い位置に設けられる第１の光透過拡散部材（１２３）を含む
付記１に記載の照明装置。
【０２１２】
＜付記３＞
前記フレーム形成部（１２）は、前記明部領域及び前記暗部領域が設けられるフレーム状部材（１２０、１２０ａ、２２０、３２０、４２０、５２０、５２０ａ、５２０ｂ、６２０、７２０、８２０）を含む
付記１又は２に記載の照明装置。
【０２１３】
＜付記４＞
前記フレーム状部材は、光透過性部材（１２１、１２１ａ）を有し、
前記フレーム状部材の面のうち前記空間を向く側を表側とし、前記表側の反対側を裏側としたとき、前記光源は、前記フレーム状部材の裏側から光を入射するように配置され、
前記光量調整部は、前記暗部領域又は前記光源から出射された光が前記フレーム状部材の背面に入射して前記フレーム状部材の前面から前記空間に向かう光として出射されるまでの光路上の前記暗部領域に対応する領域に配置され、入射される光の少なくとも一部を吸収又は反射する第１の光制限部材（１２２、１２２ａ、１２２ｃ、１５１）を含む
付記３に記載の照明装置。
【０２１４】
＜付記５＞
前記第１の光制限部材は、前記フレーム状部材を通って前記空間に進む光の一部を遮ることによって前記暗部領域から前記空間に向かう光の量を減少させるマスク（１２２、１２２ａ、１２２ｃ）である
付記４に記載の照明装置。
【０２１５】
＜付記６＞
前記光透過性部材（図１４の１２１）は、少なくとも前記明部領域又は前記暗部領域を含む領域において、前記光出射面から離れるに従って厚みが増すように構成されており、
前記マスクは、前記光透過性部材の裏側に設けられている
付記５に記載の照明装置。
【０２１６】
＜付記７＞
前記マスク（１２２ａ）は、面内で光透過率が異なっており、前記暗部領域と前記明部領域の境界部の光透過率が前記光出射面から離れるに従って高くなるように構成されている
付記５又は６に記載の照明装置。
【０２１７】
＜付記８＞
前記マスク（１２２ａ）は、面内で光透過率が異なっており、前記明部領域の光透過率に比べて前記暗部領域の光透過率が低くなるように構成されている
付記４〜６のうちのいずれか１つに記載の照明装置。
【０２１８】
＜付記９＞
前記光源からの光を偏向して前記フレーム状部材に導く第１の光偏向部材（１５０、１５０ａ、１６０）をさらに備え、
前記第１の光偏向部材は、前記光源部からの光を反射して前記フレーム状部材に導く光反射部材（１５０ａ）又は前記光源部からの光を反射及び拡散させて前記フレーム状部材に導く光反射拡散部材（１５０）を含む
付記４〜８のうちのいずれか１つに記載の照明装置。
【０２１９】
＜付記１０＞
前記第１の光偏向部材は、前記光反射部材又は前記光反射拡散部材と前記フレーム状部材との間に設けられる光透過拡散部材（１６０）をさらに含む
付記９に記載の照明装置。
【０２２０】
＜付記１１＞
前記光反射部材又は前記反射拡散部材が、裏側の明部領域１３１に対応する領域と暗部領域１３２に対応する領域との境界部において光を遮る機能を有する面である遮壁（１５１）を有する
付記９又は１０に記載の照明装置。
【０２２１】
＜付記１２＞
前記光源からの光を導光しつつ散乱する導光部（７４０）をさらに備え、
前記導光部は、前記フレーム状部材までの距離が遠い領域ほど、多くの散乱光を出射するように構成されており、
前記フレーム状部材は、前記導光部から出射される前記散乱光を入射して、前記空間に向かう光を出射する
付記４〜１１のうちのいずれか１つに記載の照明装置。
【０２２２】
＜付記１４＞
前記フレーム状部材は、光反射部材（１２４）を有し、
前記フレーム状部材の面のうち前記空間を向く側を表側とし、前記表側の反対側を裏側としたとき、前記光源は、前記フレーム状部材の表側から光を入射するように配置され、
前記光制限部材は、前記暗部領域又は前記光源から出射された光が前記フレーム状部材の前面に入射して再び前記前面から前記空間に向かう光として出射されるまでの光路上の前記暗部領域に対応する領域に配置され、入射光の少なくとも一部を吸収、透過又は前記空間に向かわない角度に偏向する第２の光制限部材（１２２ｂ、１２２ｄ、１２５ａ、１２５ｂ）を含む
付記３に記載の照明装置。
【０２２３】
＜付記１５＞
前記フレーム状部材は、前記光出射面の光出射方向側に設けられ、開口部（１７０）を有する枠体（１２１ａ）を有し、
少なくとも前記開口部の側壁（１７１）に前記明部領域及び前記暗部領域が設けられている
付記３〜１４のうちのいずれか１つに記載の照明装置。
【０２２４】
＜付記１６＞
前記フレーム状部材は、前記光出射面から出射される光の進行方向を前方としたとき、前方に進むに従って外側に向かう形状である
付記３〜１５のうちのいずれか１つに記載の照明装置。
【０２２５】
＜付記１７＞
前記フレーム状部材は、前記空間及び前記発光パネルの少なくとも一方を囲うように配置される
付記３〜１６のうちのいずれか１つに記載の照明装置。
【０２２６】
＜付記１８＞
前記フレーム状部材の少なくとも前記明部領域又は前記暗部領域が設けられる領域の前記光出射面から最も遠い端部に接続され、該端部から外側に向けて延在するフランジ部を備える
付記３〜１７のうちのいずれか１つに記載の照明装置。
【０２２７】
＜付記１９＞
前記フレーム状部材を構成する枠体と前記フランジ部とが一体形成されている
付記１８に記載の照明装置。
【０２２８】
＜付記２０＞
前記フレーム形成部は、前記発光パネルの端部を構成する面上に形成され、
前記光量調整部は、前記面上の領域のうち前記暗部領域とされる領域に設けられ、パネル用光源から前記発光パネルに向かう光を透過するとともに前記光源からの光を遮蔽するマスク（１２２ｃ）、又は前記面上の領域のうち前記明部領域とされる領域に設けられ、前記パネル用光源から前記発光パネルに向かう光及び前記光源からの光を透過する反射防止部材（１２５）を含む
付記１又は２に記載の照明装置。
【０２２９】
＜付記２１＞
前記フレーム形成部は、前記発光パネルの端部を構成する面上に形成され、
前記光量調整部は、前記面上の領域のうち前記明部領域とされる領域に設けられ、パネル用光源から出射され前記発光パネル内を導光する光を偏向して前記光出射面から出射させる第２の光偏向部材（１２６）、又は前記面上の領域のうち前記暗部領域とされる領域に設けられ、パネル用光源から出射され前記発光パネル内を導光する光を透過又は偏向して前記空間に向かわない光とする第２の光制限部材（１２５ａ、１２５ｂ）を含む
付記１又は２に記載の照明装置。
【０２３０】
＜付記２２＞
前記光源からの光を、前記発光パネルの入射面に向かう光と前記フレーム形成部に向かう光とに分岐する光分岐部を備える
付記１〜２１のうちのいずれか１つに記載の照明装置。
【０２３１】
＜付記２３＞
前記フレーム形成部に入射される光は、前記光源から発せられ、前記発光パネルを通って前記フレーム形成部に入射される光を含む
付記１〜２２のうちのいずれか１つに記載の照明装置。
【０２３２】
＜付記２４＞
前記フレーム形成部に入射される光は、前記光源から発せられ、前記発光パネルの端面に入射して前記発光パネル内を導光した後、前記発光パネルから出射される光を含む
付記２３に記載の照明装置。
【０２３３】
＜付記２５＞
前記発光パネルとして、ナノオーダーの光学媒体を含み、入射された光を前記光学媒体で散乱させて発生する散乱光を前記光出射面から出射する発光パネルを備える
付記１〜２４のうちのいずれか１つに記載の照明装置。
【０２３４】
＜付記２６＞
前記発光パネルが発光している状態の前記光出射面に対する前記明部領域の輝度又は光束の比率が、１／２０〜３０の範囲内である
付記１〜２５のうちのいずれか１つに記載の照明装置。
【０２３５】
＜付記２７＞
前記発光パネルが発光している状態で前記光出射面から出射される光の相対色温度に対する前記明部領域から出射される光の相対色温度の差が、２００００Ｋ以上かつ９８０００Ｋ以下である
付記１〜２５のうちのいずれか１つに記載の照明装置。
【符号の説明】
【０２３６】
１〜８，１ａ，４ａ，５ａ，５ｂ，７ａ  照明装置
１１０  発光パネル
１１１  光出射面
１１２  空間
１２  フレーム形成部
２２  光量調整部
１２０，１２０ａ，２２０，３２０，４２０，５２０，５２０ａ，５２０ｂ，６２０，７２０，８２０  フレーム状部材
１２１，１２１ａ  枠体
１２２，１２２ａ，１２２ｂ，１２２ｃ，１２２ｄ  マスク
１２２ｃ  偏光マスク
１２３  光透過拡散部材
１２４，１２４ａ  光反射部材
１２５，１２５ａ  反射防止部材
１２６  光偏向部材
１３０  日差し表現部
１３１  明部領域
１３２  暗部領域
１３３  境界部
１４０，１４０ａ  光源部
１５０  光反射拡散部材
１５１  遮壁
１５０ａ  光反射部材
１６０  光透過拡散部材
１７０  開口部
１７１  側壁
１７２  収納部
１８０  光分岐部
１１０ａ  パネル用光源
１１５  パネル用光源駆動部
１１６  点灯制御部
１４５  光源駆動部
２３０  フランジ部
２３３  フランジ面
２３１  板状部
２３２  光拡散部材
７４０  導光部
７５０  光反射拡散部材
【図１】
2020240664.tif 000003
【図２】
2020240664.tif 000004
【図３】
2020240664.tif 000005
【図４】
2020240664.tif 000006
【図５】
2020240664.tif 000007
【図６】
2020240664.tif 000008
【図７】
2020240664.tif 000009
【図８】
2020240664.tif 000010
【図９】
2020240664.tif 000011
【図１０】
2020240664.tif 000012
【図１１】
2020240664.tif 000013
【図１２】
2020240664.tif 000014
【図１３】
2020240664.tif 000015
【図１４】
2020240664.tif 000016
【図１５】
2020240664.tif 000017
【図１６】
2020240664.tif 000018
【図１７】
2020240664.tif 000019
【図１８】
2020240664.tif 000020
【図１９】
2020240664.tif 000021
【図２０】
2020240664.tif 000022
【図２１】
2020240664.tif 000023
【図２２】
2020240664.tif 000024
【図２３】
2020240664.tif 000025
【図２４】
2020240664.tif 000026
【図２５】
2020240664.tif 000027
【図２６】
2020240664.tif 000028
【図２７】
2020240664.tif 000029
【図２８】
2020240664.tif 000030
【図２９】
2020240664.tif 000031
【図３０】
2020240664.tif 000032
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
光出射面を有する発光パネルの端部及び前記発光パネルの周囲の少なくとも１つの位置に設けられ、明部領域及び暗部領域を有するフレーム形成部と、
前記フレーム形成部に入射される光を発する光源と、
前記光源から前記フレーム形成部に入射される光のうち、前記暗部領域から前記光出射面と面する空間に向かう光の強度を前記明部領域から前記空間に向かう光の強度よりも弱める、又は前記光源から前記フレーム形成部に入射される光のうち、前記明部領域から前記空間に向かう光の強度を前記暗部領域から前記空間に向かう光の強度よりも強める光量調整部と、を備える
ことを特徴とする照明装置。
【請求項２】
前記光源の点灯時における前記明部領域と前記暗部領域の輝度の比は、１００：１から２００：１の範囲内である
請求項１に記載の照明装置。
【請求項３】
前記発光パネルが発光している状態の前記光出射面に対する前記明部領域の輝度又は光束の比率が、１／２０〜３０の範囲内である
請求項１又は２に記載の照明装置。
【請求項４】
前記発光パネルから出射される光の色温度に比べ、前記明部領域から出射される光の色温度が低い
請求項１〜３のいずれか１項に記載の照明装置。
【請求項５】
前記光量調整部よりも前記空間に近い位置に設けられる第１の光透過拡散部材を含む
請求項１〜４のいずれか１項に記載の照明装置。
【請求項６】
前記フレーム形成部は、前記明部領域及び前記暗部領域が設けられるフレーム状部材を含み、
前記フレーム状部材は、光透過性部材を有し、
前記フレーム状部材の面のうち前記空間を向く側を表側とし、前記表側の反対側を裏側としたとき、前記光源は、前記フレーム状部材の裏側から光を入射するように配置され、
前記光量調整部は、前記暗部領域又は前記光源から出射された光が前記フレーム状部材の背面に入射して前記フレーム状部材の前面から前記空間に向かう光として出射されるまでの光路上の前記暗部領域に対応する領域に配置され、入射される光の少なくとも一部を吸収又は反射する第１の光制限部材を含む
請求項１〜５のいずれか１項に記載の照明装置。
【請求項７】
前記第１の光制限部材は、前記フレーム状部材を通って前記空間に進む光の一部を遮ることによって前記暗部領域から前記空間に向かう光の量を減少させるマスクである
請求項６に記載の照明装置。
【請求項８】
前記光透過性部材は、少なくとも前記明部領域又は前記暗部領域を含む領域において、前記光出射面から離れるに従って厚みが増すように構成されており、
前記マスクは、前記光透過性部材の裏側に設けられている
請求項７に記載の照明装置。
【請求項９】
前記マスクは、面内で光透過率が異なっており、前記暗部領域と前記明部領域の境界部の光透過率が前記光出射面から離れるに従って高くなるように構成されている
請求項７又は８に記載の照明装置。
【請求項１０】
前記光源からの光を偏向して前記フレーム状部材に導く第１の光偏向部材をさらに備え、
前記第１の光偏向部材は、前記光源からの光を反射して前記フレーム状部材に導く光反射部材又は前記光源からの光を反射及び拡散させて前記フレーム状部材に導く光反射拡散部材を含む
請求項６〜９のうちのいずれか１項に記載の照明装置。
【請求項１１】
前記第１の光偏向部材は、前記光反射部材又は前記光反射拡散部材と前記フレーム状部材との間に設けられる光透過拡散部材をさらに含む
請求項１０に記載の照明装置。
【請求項１２】
前記フレーム状部材は、光反射部材を有し、
前記フレーム状部材の面のうち前記空間を向く側を表側とし、前記表側の反対側を裏側としたとき、前記光源は、前記フレーム状部材の表側から光を入射するように配置され、
前記第１の光制限部材は、前記暗部領域又は前記光源から出射された光が前記フレーム状部材の前面に入射して再び前記前面から前記空間に向かう光として出射されるまでの光路上の前記暗部領域に対応する領域に配置され、入射光の少なくとも一部を吸収、透過又は前記空間に向かわない角度に偏向する第２の光制限部材を含む
請求項６に記載の照明装置。
【請求項１３】
前記フレーム状部材は、前記光出射面から出射される光の進行方向を前方としたとき、前方に進むに従って外側に向かう形状である
請求項４〜１２のうちのいずれか１項に記載の照明装置。
【請求項１４】
前記フレーム状部材は、前記光出射面の光出射方向側に設けられ、開口部を有する枠体を有し、
少なくとも前記開口部の側壁に前記明部領域及び前記暗部領域が設けられている
請求項４〜１３のうちのいずれか１項に記載の照明装置。
【請求項１５】
前記フレーム状部材の少なくとも前記明部領域又は前記暗部領域が設けられる領域の前記光出射面から最も遠い端部に接続され、該端部から外側に向けて延在するフランジ部を備える
請求項４〜１４のうちのいずれか１項に記載の照明装置。
【請求項１６】
前記フレーム形成部は、前記発光パネルの端部を構成する面上に形成され、
前記光量調整部は、前記面上の領域のうち前記暗部領域とされる領域に設けられ、パネル用光源から前記発光パネルに向かう光を透過するとともに前記光源からの光を遮蔽するマスク、又は前記面上の領域のうち前記明部領域とされる領域に設けられ、前記パネル用光源から前記発光パネルに向かう光及び前記光源からの光を透過する反射防止部材を含み、
前記暗部領域および前記明部領域は、観察者に視認させる位置に設けられる
請求項１〜５のいずれか１項に記載の照明装置。
【請求項１７】
前記発光パネルは自然な空の色を示す色温度の照明光を出射し、
前記フレーム形成部は、前記発光パネルの端部を構成する面上に形成され、
前記光量調整部は、前記面上の領域のうち前記明部領域とされる領域に設けられ、パネル用光源から出射され前記発光パネル内を導光する光を偏向して前記光出射面から出射させる第２の光偏向部材、又は前記面上の領域のうち前記暗部領域とされる領域に設けられ、パネル用光源から出射され前記発光パネル内を導光する光を透過又は偏向して前記空間に向かわない光とする第２の光制限部材を含み、
点灯時の前記発光パネルより出射される前記照明光の相対色温度は、１００００〜１０００００Ｋであり、
点灯時の前記明部領域より出射される光の相対色温度は、２０００〜７０００［ｃｄ／ｍ２］である
請求項１〜５のいずれか１項に記載の照明装置。
【請求項１８】
前記光源からの光を、前記発光パネルの入射面に向かう光と前記フレーム形成部に向かう光とに分岐する光分岐部を備える
請求項１〜１７のうちのいずれか１項に記載の照明装置。
【請求項１９】
前記フレーム形成部に入射される光は、前記光源から発せられ、前記発光パネルを通って前記フレーム形成部に入射される光を含む
請求項１〜１８のうちのいずれか１項に記載の照明装置。
【請求項２０】
前記発光パネルとして、ナノオーダーの光学媒体を含み、入射された光を前記光学媒体で散乱させて発生する散乱光を前記光出射面から出射する発光パネルを備える
請求項１〜１９のうちのいずれか１項に記載の照明装置。
【国際調査報告】
2020240664.tif 000033
2020240664.tif 000034
2020240664.tif 000035
2020240664.tif 000036